(57)【要約】【課題】複数のＭＴＣデバイスが基地局装置に対して効率的に接続可能な無線通信システムを提供する。【解決手段】予め定められたアプリケーションデータフォーマットを用いて基地局装置２００にデータを送信するグループＡのＭＴＣデバイス１００Ａ，１００Ｂの各々に対して、グループＡにおいて共通する第１の無線リソースが割り当てられている。ＭＴＣデバイス１００Ａ，１００Ｂは、第１の無線リソースを用いてアクセス要求信号を基地局装置２００に送信する。基地局装置２００は、ＭＴＣデバイス１００Ａ，１００Ｂから要求信号を受信する。基地局装置２００は、ＭＴＣデバイス１００Ａ，１００Ｂに対して、グループＡにおいて共通する第２の無線リソースを割り当てる。ＭＴＣデバイス１００，１００Ｂは、第２の無線リソースを用いてデータを基地局装置に信する。【選択図】図１３
2014099836.tif 000002
【特許請求の範囲】
【請求項１】
各々がマシン通信する複数の通信装置と、前記複数の通信装置と無線通信する基地局装置とを備えた無線通信システムであって、
前記複数の通信装置のうち、第１のアプリケーションデータフォーマットを用いて前記基地局装置にデータを送信する第１のグループの通信装置の各々に対して、前記第１のグループにおいて共通する第１の無線リソースが割り当てられており、
前記第１のグループの通信装置の各々は、前記第１の無線リソースを用いて、前記基地局装置へのアクセスを要求するための要求信号を前記基地局装置に送信する第１の送信手段を含み、
前記基地局装置は、
前記第１のグループの通信装置の各々から、前記要求信号を受信する第１の受信手段と、
前記要求信号を送信した通信装置の各々に対して、前記第１のグループにおいて共通する第２の無線リソースを割り当てる割当手段と、
前記第２の無線リソースの割り当てを示す割当情報を含んだ第１の制御情報を、前記要求信号を送信した通信装置の各々に送信する第２の送信手段とを含み、
前記第１のグループの通信装置の各々は、前記基地局装置から、前記第１の制御情報を受信する第２の受信手段をさらに含み、
前記第１の送信手段は、前記第２の無線リソースを用いて、前記データを前記基地局装置にさらに送信する、無線通信システム。
【請求項２】
前記複数の通信装置のうち、第２のアプリケーションデータフォーマットを用いて前記基地局装置にデータを送信する第２のグループの通信装置の各々に対して、前記第２のグループにおいて共通する第３の無線リソースがさらに割り当てられており、
前記第２のグループの第２の通信装置の各々は、前記第３の無線リソースを用いて、前記基地局装置へのアクセスを要求するための要求信号を前記基地局装置に送信する第３の送信手段を含み、
前記第１の受信手段は、前記第２のグループの通信装置の各々から、前記要求信号をさらに受信し、
前記割当手段は、前記要求信号を送信した前記第２のグループの通信装置の各々に対して、前記第２のグループにおいて共通する第４の無線リソースを割り当て、
前記第２の送信手段は、前記第４の無線リソースの割り当てを示す割当情報を含んだ第２の制御情報を、前記要求信号送信した前記第２のグループの通信装置の各々にさらに送信し、
前記第２のグループの第２の通信装置の各々は、前記基地局装置から、前記第２の制御情報を受信する第３の受信手段を含み、
前記第３の送信手段は、前記第４の無線リソースを用いて、前記データを前記基地局装
置にさらに送信する、請求項１に記載の無線通信システム。
【請求項３】
前記第１のグループの通信装置の各々は、前記第１のグループの通信装置の各々で共通の第１のグループ識別子を記憶しており、
前記第２のグループの通信装置の各々は、前記第２のグループの通信装置の各々で共通の第２のグループ識別子を記憶しており、
前記基地局装置は、前記第１のグループの通信装置の各々に対して前記第１の無線リソースを割り当てるため、および前記第２のグループの通信装置の各々に対して前記第３の無線リソースを割り当てるために、予め定められた報知情報を送信し、
前記報知情報は、
前記第１のグループ識別子に関連付けられた、前記基地局へのアクセス要求を開始する第１の開始時間の情報、前記アクセス要求を終了する第１の終了時間の情報、および前記アクセス要求を受け付ける第１の周期を表した情報と、
前記第２のグループ識別子に関連付けられた、前記基地局へのアクセス要求を開始する第２の開始時間の情報、前記アクセス要求を終了する第２の終了時間の情報、および前記アクセス要求を受け付ける第２の周期を表した情報とを含む、請求項２に記載の無線通信システム。
【請求項４】
前記第１のグループの通信装置の各々は、前記第１のグループ識別子に関連付けられた、前記第１の開始時間と前記第１の終了時間と前記第１の周期とにしたがって、前記要求信号を送信し、
前記第２のグループの通信装置の各々は、前記第２のグループ識別子に関連付けられた、前記第２の開始時間と前記第２の終了時間と前記第２の周期とにしたがって、前記要求信号を送信する、請求項３に記載の無線通信システム。
【発明の詳細な説明】
【技術分野】
【０００１】
本発明は、無線通信システム、基地局装置、通信装置、通信制御方法、およびプログラムに関する。本発明は、特に、マシン通信する通信装置を複数含む無線通信システム、無線通信システムを構成する基地局装置、通信装置、無線通信システムと基地局装置と通信装置とにおける通信制御方法、および基地局装置と通信装置とを制御するためのプログラムに関する。
【背景技術】
【０００２】
従来、ＬＴＥ  （Long  Term  Evolution）をはじめとする公衆無線通信システムにおいては、パケット接続によって利用者に様々なサービスを提供することが可能となっている。このような公衆無線通信システムでは、サービスに応じて要求される情報速度および遅延量などが異なる。それゆえ、公衆無線通信システムは、ＱｏＳ  （Quality  of  Service）に応じた複数のクラスを用意し、サービス毎に適切なベアラを設定している。図２１は、ＬＴＥにおけるクラス分けを表した図である。図２１を参照して、ＬＴＥでは、９つのクラスが用意されている。
【０００３】
また、近年、利用者の操作を伴わずにマシン同士が通信（マシン通信）を行うＭＴＣ（Machine  Type  Communication）の分野が注目を集めている。ＭＴＣの応用分野は、セキュリティ、医療、農業、ファクトリーオートメーション、ライフライン制御など多岐にわたる。ＭＴＣの応用分野として、以下の非特許文献１に示すように、スマートメータと呼ばれる測定器で測定した電力等の情報を集約することにより送配電を効率的に行うスマートグリッドが、特に注目を集めている。
【０００４】
このようなＭＴＣデバイス同士の通信およびＭＴＣデバイスを管理するＭＴＣサーバとＭＴＣデバイスとの間の通信は、今後大きく伸びることが予想されている。現在、非特許文献２に記載されているように、当該通信に対して、ＬＴＥなどの３ＧＰＰ（Third  Generation  Partnership  Project）ネットワークを使った方式、ＩＥＥＥ８０２．１５規格の近距離通信方式を使った方式などを適用することが検討されている。
【０００５】
ところで、ＭＴＣでは非常に多くのデバイスが関わることにより、制御信号が膨大になることが懸念されている。これに対し、以下の非特許文献２には、グループベースのＭＴＣ管理方法が提案されている。このＭＴＣ管理方法では、様々なＱｏＳ要求のＭＴＣデバイスをＱｏＳの許容値によりグループ分けし、各ＭＴＣデバイスに対してグループに応じたＡＧＴＩ（Access  Grant  Time  Interval）が割り当てられる。
【０００６】
ＭＴＣデバイスの通信方式としては、たとえば以下の非特許文献３に記載されているように、ＩＤＭＡ（Interleave  Division  Multiple  Access）方式が注目されている。また、非特許文献３には、ＩＤＭＡ方式をＭＴＣ通信に利用する利点として、スケジューリングが不要になることと、マルチユーザ干渉キャンセラーを効果的に適用できることとが挙げられている。
【０００７】
以下では、ＩＤＭＡ方式における信号の受信処理および復調処理について説明する。移動体通信におけるチャネルに対しては、ＩＤＭＡとＯＦＤＭ（Orthogonal  Frequency  Division  Multiplexing）とを組み合わせて用いるＯＦＤＭ−ＩＤＭＡと呼ばれる方式を用いることが特に有効である。以下の非特許文献４には、このようなＯＦＤＭ−ＩＤＭＡの原理が説明されている。また、図２２は、ＯＦＤＭ−ＩＤＭＡの原理を説明するための図である。
【０００８】
図２２を参照して、まず、各ユーザの各ＭＴＣデバイスは、送信目的のデータをエンコーダで符号化する。次いで、各ＭＴＣデバイスは、符号化したデータをインターリーバでインターリーブする。次いで、各ＭＴＣデバイスは、インターリーブされた信号を変調する。次いで各ＭＴＣデバイスは、変調された信号に対して逆離散フーリエ変換を行なう。これにより、各ＭＴＣデバイスでは、送信信号が生成される。エンコーダは、ＭＴＣデバイス間で共通のものが使われる。インターリーバは、デバイス毎に異なるものが使われる。
【０００９】
基地局装置のアンテナに入力される信号は、複数のＭＴＣデバイスの信号が混ざり合っている。また、基地局装置のアンテナに入力される信号には、雑音および干渉がさらに加わっている。基地局装置は、当該信号に対して離散フーリエ変換を行なう。次いで、基地局装置は、離散フーリエ変換により得られた信号に対して、ＭＵＤ（Multi  User  Detection：マルチユーザ検出）を行なう。これより、基地局装置は、受信した信号を各ユーザの信号に分離する。ＭＵＤは、複数のユーザの信号が混ざり合った信号から各ユーザの信号成分を抽出するものである。ＭＵＤでは、ＩＤＭＡ信号に対しては繰り返し処理によって徐々に干渉成分を減らしていく方法が採られる。
【００１０】
図２３は、ＭＵＤの動作を説明するための図である。図２３を参照して、基地局装置においてＤＦＴ処理された信号は、ＥＳＥ（Elementary  Signal  Estimator）に送られる。ＥＳＥは、ガウス近似を用いて、ビット毎の平均値および分散を求める。ＥＳＥは、当該平均値および分散を、各ユーザのデバイスのインターリーバに対応したデインターリーバに送る。デインターリーバは、デインターリーブした信号（出力）をＡＰＰ（A  Posteriori  Probability）デコーダに送る。ＡＰＰデコーダは、チャネルビットの対数尤度の受信系列から復号を行い、復号結果を各ユーザ用の復号された信号として出力するとともに、再符号化して対数尤度情報の精度を向上してインターリーバに出力する。ＥＳＥは、各ＡＰＰデコーダから送られた各ユーザの送信信号の尤度情報をもとに、平均値および分散を再計算する。ＭＵＤは、以上の処理を繰り返し行うことにより、信号推定の精度を高めていく。
【００１１】
また、特開２００７−６０２１２号公報（特許文献１）には、基地局装置と携帯端末装置との間のアップリンク通信において、送信データの中継を行うリレー（中継装置、リピータ）を用いる構成が開示されている。
【００１２】
また、以下の非特許文献５には、マシン通信に適用されるセルラ技術のグローバル標準化動向が説明されている。
【先行技術文献】
【特許文献】
【００１３】
【特許文献１】特開２００７−６０２１２号公報
【非特許文献】
【００１４】
【非特許文献１】富永ほか、スマートグリッドとＩＣＴ[II]，電子情報通信学会誌  Vol．95，  No．1,  2012年
【非特許文献２】Shao-Yu  Lien  et.al.,  Toward  Ubiquitous  Massive  Accesses  in  3GPP  Machine-to-Machine  Communications，  IEEE  Communications  Magazine，  April  2011
【非特許文献３】松本ほか、小パケット通信おけるＩＤＭＡの特性評価、電子情報通信学会技報、RCS2011−342,  2011年3月
【非特許文献４】Li  Ping  et.al.,  The  OFDM−IDMA  Approach  to  Wireless  Communication  Systems,  IEEE  Wireless  Communications,  June  2007
【非特許文献５】池田ほか、“マシン通信システム向けセルラ技術標準化活動”、パナソニック技報、Vol.57,  No.1,  2011年4月号
【発明の概要】
【発明が解決しようとする課題】
【００１５】
しかしながら、非特許文献２のＭＴＣ管理方法は、個々のＭＴＣデバイスが接続要求をおこなう必要がある。それゆえ、当該ＭＴＣ管理方法では、接続要求に関わる制御信号を削減することはできない。また、当該ＭＴＣ管理方法では、システムがＭＴＣデバイスの許容値をみたさない場合は接続が拒否される。それゆえ、当該ＭＴＣ管理方法では、大量のＭＴＣデバイスを接続するという要求を満たすことができない。
【００１６】
一方、非特許文献３の方法では、アクセス要求の手順を省略している。それゆえ、基地局装置は、どのＭＴＣデバイスが送信してくるかがわからない。したがって、実際には、基地局装置は、データを送信していないＭＴＣデバイスの信号も想定して受信処理を行なう必要がある。具体的には、基地局装置は、実際に送信されていない信号の受信処理を行なうため、実際に送信されていない信号の成分を考慮して演算処理の変数値を生成する必要がある。このため、ＭＵＤの繰り返し処理の初期段階において、誤差が発生する。このように、基地局装置のＭＵＤにおいては、余分な演算が発生するとともに、受信性能が劣化する可能性がある。
【００１７】
本発明は、上記の問題点に鑑みなされたものであって、その目的は、複数のマシン通信する通信装置（ＭＴＣデバイス）が基地局装置に対して効率的に接続可能な無線通信システム、無線通信システムを構成する基地局装置、通信装置、無線通信システムと基地局装置と通信装置とにおける通信制御方法、および基地局装置と通信装置とを制御するためのプログラムを提供することにある。
【課題を解決するための手段】
【００１８】
（１）本発明のある局面に従うと、無線通信システムは、各々がマシン通信する複数の通信装置と、複数の通信装置と無線通信する基地局装置とを備える。複数の通信装置のうち、第１のアプリケーションデータフォーマットを用いて基地局装置にデータを送信する第１のグループの通信装置の各々に対して、第１のグループにおいて共通する第１の無線リソースが割り当てられている。第１のグループの通信装置の各々は、第１の無線リソースを用いて、基地局装置へのアクセスを要求するための要求信号を基地局装置に送信する第１の送信手段を含む。基地局装置は、第１のグループの通信装置の各々から、要求信号を受信する第１の受信手段と、要求信号を送信した通信装置の各々に対して、第１のグループにおいて共通する第２の無線リソースを割り当てる割当手段と、第２の無線リソースの割り当てを示す割当情報を含んだ第１の制御情報を、要求信号を送信した通信装置の各々に送信する第２の送信手段とを含む。第１のグループの通信装置の各々は、基地局装置から、第１の制御情報を受信する第２の受信手段をさらに含む。第１の送信手段は、第２の無線リソースを用いて、データを基地局装置にさらに送信する。
【００１９】
（２）好ましくは、項目（１）に記載の無線通信システムは、前記基地局装置を介して、前記複数の通信装置を制御する制御装置をさらに備える。第１のグループの通信装置の各々に対して、共通のグループ識別子が設定されている。基地局装置および制御装置のいずれかが、グループ識別子を有する通信装置の各々に対して、第１のグループにおいて共通する第１の無線リソースを割り当てる。
【００２０】
（３）好ましくは、項目（１）または（２）に記載の無線通信システムにおいて、第１の制御情報は、通信装置を識別するための複数の装置識別子をさらに含む。
【００２１】
（４）好ましくは、項目（１）〜（３）のいずれかに記載の無線通信システムにおいて、第１の制御情報は、第１のグループの通信装置の各々が使用する共通の信号形式を含む。
【００２２】
（５）好ましくは、項目（１）〜（４）のいずれかに記載の無線通信システムにおいて、第１のグループの通信装置の各々が送信するデータは、通信装置毎に異なるインターリーブパターンにより生成されたインターリーブ分割多重アクセス方式に基づくデータである。
【００２３】
（６）好ましくは、項目（１）〜（５）のいずれかに記載の無線通信システムにおいて、第１のアプリケーションデータフォーマットでは、データのブロックサイズが予め定められた値に規定されている。
【００２４】
（７）好ましくは、項目（１）〜（６）のいずれかに記載の無線通信システムは、複数の通信装置と基地局とに接続された中継装置をさらに備える。第１の送信手段は、第２の無線リソースを用いて、中継装置を介して、データを基地局装置に送信する。
【００２５】
（８）好ましくは、項目（１）〜（７）のいずれかに記載の無線通信システムにおいて、複数の通信装置のうち、第２のアプリケーションデータフォーマットを用いて基地局装置にデータを送信する第２のグループの通信装置の各々に対して、第２のグループにおいて共通する第３の無線リソースがさらに割り当てられている。第２のグループの第２の通信装置の各々は、第３の無線リソースを用いて、基地局装置へのアクセスを要求するための要求信号を基地局装置に送信する第３の送信手段を含む。第１の受信手段は、第２のグループの通信装置の各々から、要求信号をさらに受信する。割当手段は、要求信号を送信した第２のグループの通信装置の各々に対して、第２のグループにおいて共通する第４の無線リソースを割り当てる。第２の送信手段は、第４の無線リソースの割り当てを示す割当情報を含んだ第２の制御情報を、要求信号送信した第２のグループの通信装置の各々にさらに送信する。第２のグループの第２の通信装置の各々は、基地局装置から、第２の制御情報を受信する第３の受信手段を含む。第３の送信手段は、第４の無線リソースを用いて、データを基地局装置にさらに送信する。
【００２６】
（９）好ましくは、項目（１）〜（８）のいずれかに記載の無線通信システムにおいて、第１のグループの通信装置の各々は、予め定められた第１の機能を有する。第２のグループの通信装置の各々は、予め定められた第２の機能を有する。
【００２７】
（１０）本発明の他の局面に従うと、基地局装置は、各々がマシン通信を行なう複数の通信装置と通信する。複数の通信装置のうち、第１のアプリケーションデータフォーマットを用いて基地局装置にデータを送信する第１のグループの通信装置の各々に対して、第１のグループにおいて共通する第１の無線リソースが割り当てられている。基地局装置は、第１のグループの通信装置の各々から、要求信号を受信する受信手段と、要求信号を送信した通信装置の各々に対して、第１のグループにおいて共通する第２の無線リソースを割り当てる割当手段と、第２の無線リソースの割り当てを含んだ第１の制御情報を、要求信号を送信した通信装置の各々に送信する送信手段とを備える。
【００２８】
（１１）好ましくは、複数の通信装置のうち、第２のアプリケーションデータフォーマットを用いて基地局装置にデータを送信する第２のグループの通信装置の各々に対して、第２のグループにおいて共通する第３の無線リソースがさらに割り当てられている。受信手段は、第２のグループの通信装置の各々から、要求信号をさらに受信する。割当手段は、要求信号を送信した第２のグループの通信装置の各々に対して、第２のグループにおいて共通する第４の無線リソースをさらに割り当てる。送信手段は、第４の無線リソースの割り当てを含んだ第２の制御情報を、要求信号送信した第２のグループの通信装置の各々にさらに送信する。
【００２９】
（１２）本発明のさらに他の局面に従うと、通信装置は、マシン通信する。通信装置は、通信装置と同一のアプリケーションデータフォーマットを用いて基地局装置にデータを送信する同一のグループの他の通信装置、および通信装置に対して割り当てられた、グループで共通する第１の無線リソースを用いて、基地局装置へのアクセスを要求するための要求信号を基地局装置に送信する送信手段と、要求信号の送信に基づき基地局装置によって割り当てられたグループにおいて共通する第２の無線リソースの割り当てを示す割当情報を含んだ制御情報を、基地局装置から受信する受信手段とを備える。送信手段は、第２の無線リソースを用いて、データを基地局装置にさらに送信する。
【００３０】
（１３）本発明のさらに他の局面に従うと、通信制御方法は、各々がマシン通信する複数の通信装置と、複数の通信装置と無線通信する基地局装置とを備えた無線通信システムにおいて実行される。複数の通信装置のうち、予め定められたアプリケーションデータフォーマットを用いて基地局装置にデータを送信する第１のグループの通信装置の各々に対して、第１のグループにおいて共通する第１の無線リソースが割り当てられている。通信制御方法は、第１のグループの通信装置の各々が、第１の無線リソースを用いて、基地局装置へのアクセスを要求するための要求信号を基地局装置に送信するステップと、基地局装置が、第１のグループの通信装置の各々から、要求信号を受信するステップと、基地局装置が、要求信号を送信した通信装置の各々に対して、第１のグループにおいて共通する第２の無線リソースを割り当てるステップと、基地局装置が、第２の無線リソースの割り当てを示す割当情報を含んだ第１の制御情報を、要求信号を送信した通信装置の各々に送信するステップと、第１のグループの通信装置の各々が、基地局装置から、第１の制御情報を受信するステップと、第１のグループの通信装置の各々が、第２の無線リソースを用いて、データを基地局装置にさらに送信するステップとを備える。
【００３１】
（１４）本発明のさらに他の局面に従うと、通信制御方法は、各々がマシン通信する複数の通信装置と通信する基地局装置において実行される。複数の通信装置のうち、予め定められたアプリケーションデータフォーマットを用いて基地局装置にデータを送信する第１のグループの通信装置の各々に対して、第１のグループにおいて共通する第１の無線リソースが割り当てられている。通信制御方法は、第１のグループの通信装置の各々から、要求信号を受信するステップと、要求信号を送信した通信装置の各々に対して、第１のグループにおいて共通する第２の無線リソースを割り当てるステップと、第２の無線リソースの割り当てを含んだ第１の制御情報を、要求信号を送信した通信装置の各々に送信するステップとを備える。
【００３２】
（１５）本発明のさらに他の局面に従うと、通信制御方法は、マシン通信を行なう通信装置において実行される。通信制御方法は、通信装置と同一のアプリケーションデータフォーマットを用いて基地局装置にデータを送信する同一のグループの他の通信装置、および通信装置に対して割り当てられた、グループで共通する第１の無線リソースを用いて、基地局装置へのアクセスを要求するための要求信号を基地局装置に送信するステップと、要求信号の送信に基づき基地局装置によって割り当てられたグループにおいて共通する第２の無線リソースの割り当てを示す割当情報を含んだ制御情報を、基地局装置から受信するステップと、第２の無線リソースを用いて、データを基地局装置にさらに送信するステップとを備える。
【００３３】
（１６）本発明のさらに他の局面に従うと、プログラムは、各々がマシン通信する複数の通信装置および移動性管理実体と通信する基地局装置を制御する。複数の通信装置のうち、予め定められたアプリケーションデータフォーマットを用いて基地局装置にデータを送信する第１のグループの通信装置の各々に対して、第１のグループにおいて共通する第１の無線リソースが割り当てられている。プログラムは、第１のグループの通信装置の各々から、要求信号を受信するステップと、要求信号を送信した通信装置の各々に対して、第１のグループにおいて共通する第２の無線リソースを割り当てるステップと、第２の無線リソースの割り当てを含んだ第１の制御情報を、要求信号を送信した通信装置の各々に送信するステップとを、基地局装置のプロセッサに実行させる。
【００３４】
（１７）本発明のさらに他の局面に従うと、プログラムは、マシン通信する通信装置を制御する。プログラムは、通信装置と同一のアプリケーションデータフォーマットを用いて基地局装置にデータを送信する同一のグループの他の通信装置、および通信装置に対して割り当てられた、グループで共通する第１の無線リソースを用いて、基地局装置へのアクセスを要求するための要求信号を基地局装置に送信するステップと、要求信号の送信に基づき基地局装置によって割り当てられたグループにおいて共通する第２の無線リソースの割り当てを示す割当情報を含んだ制御情報を、基地局装置から受信するステップと、第２の無線リソースを用いて、データを基地局装置にさらに送信するステップとを、通信装置のプロセッサに実行させる。
【００３５】
（１８）好ましくは、第１のグループの通信装置の各々は、第１のグループの通信装置の各々で共通の第１のグループ識別子を記憶している。第２のグループの通信装置の各々は、第２のグループの通信装置の各々で共通の第２のグループ識別子を記憶している。基地局装置は、第１のグループの通信装置の各々に対して第１の無線リソースを割り当てるため、および第２のグループの通信装置の各々に対して第３の無線リソースを割り当てるために、予め定められた報知情報を送信する。報知情報は、第１のグループ識別子に関連付けられた、基地局へのアクセス要求を開始する第１の開始時間の情報、アクセス要求を終了する第１の終了時間の情報、およびアクセス要求を受け付ける第１の周期を表した情報と、第２のグループ識別子に関連付けられた、基地局へのアクセス要求を開始する第２の開始時間の情報、アクセス要求を終了する第２の終了時間の情報、およびアクセス要求を受け付ける第２の周期を表した情報とを含む。
【００３６】
（１９）好ましくは、第１のグループの通信装置の各々は、第１のグループ識別子に関連付けられた、第１の開始時間と第１の終了時間と第１の周期とにしたがって、要求信号を送信する。第２のグループの通信装置の各々は、第２のグループ識別子に関連付けられた、第２の開始時間と第２の終了時間と第２の周期とにしたがって、要求信号を送信する。
【発明の効果】
【００３７】
本発明によれば、多数のマシン通信する通信装置が基地局装置に対して効率的に接続可能となるといった効果を奏する。
【図面の簡単な説明】
【００３８】
【図１】無線通信システムの概略構成を表した図である。
【図２】ＭＴＣデバイスのハードウェア構成の概略を表す図である。
【図３】基地局装置の典型的なハードウェア構成を表した図である。
【図４】ＭＴＣデバイスのグループ分けを説明するための図である。
【図５】アクセス要求受付区間の一例を説明するための図である。
【図６】アクセス許可信号に含まれるリソース割当情報のフォーマットを表した図である。
【図７】割り当てられたリソースの一例を説明するための図である。
【図８】細分化したそれぞれのグループ同士で異なったＭＣＳおよびＴＦを割り当てる場合における、リソース割当情報のフォーマットを表した図である。
【図９】細分化したそれぞれのグループ同士で異なったＭＣＳおよびＴＦを割り当てる場合における、割り当てられたリソースの一例を説明するための図である。
【図１０】グループＡのＭＴＣデバイスに用いられるアプリケーションのデータフォーマットを表した図である。
【図１１】グループＢのＭＴＣデバイスに用いられるアプリケーションのデータフォーマットを表した図である。
【図１２】ＭＴＣデバイスの機能的構成と、基地局装置の機能的構成とを説明するための図である。
【図１３】無線通信システムにおける処理の流れを表したシーケンスチャートである。
【図１４】基地局装置における処理の流れを表したフローチャートである。
【図１５】ＭＴＣデバイスにおける処理の流れを表したフローチャートである。
【図１６】他の無線通信システムの概略構成を表した図である。
【図１７】無線通信システムにおける処理の流れを表したシーケンスチャートである。
【図１８】アクセス許可信号に含まれるリソース割当情報のフォーマットを表した図である。
【図１９】割り当てられたリソースの一例を説明するための図である。
【図２０】無線通信システムの変形例を説明するための図である。
【図２１】ＬＴＥにおけるクラス分けを表した図である。
【図２２】ＯＦＤＭ−ＩＤＭＡの原理を説明するための図である。
【図２３】ＭＵＤの動作を説明するための図である。
【図２４】ＭＴＣデバイスのグループ分けを説明するための図である。
【図２５】ＭＴＣデバイスにおける報知情報の受信手順を表したフローチャートである。
【図２６】アクセス要求受付区間の一例を説明するための図である。
【図２７】無線通信システムにおける処理の流れの一部を表したシーケンスチャートである。
【図２８】アクセス要求受付区間に関する情報の送信周期およびアクセス要求受付区間に関する情報の配置を説明するための図である。
【図２９】グループ分けを行なうために利用されるデータテーブルの例を表した図である。
【発明を実施するための形態】
【００３９】
以下、図面を参照しつつ、本発明の各実施の形態に係る通信システムについて説明する。以下の説明では、同一の部品には同一の符号を付してある。それらの名称および機能も同じである。したがって、それらについての詳細な説明は繰り返さない。
【００４０】
［実施の形態１］
＜Ａ．システム構成＞
図１は、無線通信システム１の概略構成を表した図である。図１を参照して、無線通信システム１は、複数のＭＴＣデバイス１００Ａ〜１００Ｄと、基地局装置（ｅＮＢ：evolved  Node  B）２００と、ＭＭＥ（Mobile  Management  Entity）３００と、サーバ装置４００とを少なくとも備えている。
【００４１】
基地局装置２００は、セル９００を構成する。各ＭＴＣデバイス１００Ａ〜１００Ｄは、基地局装置２００と通信可能なセル９００に在圏している。基地局装置２００は、ＭＭＥ３００と通信可能に接続されている。ＭＭＥ３００は、ネットワーク（移動通信ネットワークおよび／またはインターネット）５００を介して、サーバ装置４００と通信可能に接続されている。
【００４２】
ＭＴＣデバイス１００Ａ〜１００Ｄは、マシン通信する通信装置である。ここで、「マシン通信する通信装置」とは、予め定められた形式（または種類）のデータを自動的に送信または受信する通信装置を意味する。
【００４３】
ＭＴＣデバイス１００Ａ，１００Ｂは、監視カメラである。ＭＴＣデバイス１００Ｃ，１００Ｄは、電力メータ（スマートメータ（登録商標））である。各ＭＴＣデバイス１００Ａ〜１００Ｄは、通信機能を備えている。各ＭＴＣデバイス１００Ａ〜１００Ｄは、基地局装置２００と通信する。各ＭＴＣデバイス１００Ａ〜１００Ｄから送信されたデータ（画像データまたは測定データ）は、基地局装置２００およびＭＭＥ３００を介して、サーバ装置４００に送信される。
【００４４】
ＭＭＥ３００は、主に移動局装置（ＵＥ：User  Equipment）の移動性管理、セッション管理、非アクセス層シグナリングの処理及びセキュリティ、アラームメッセージ伝送、アラームメッセージに合った基地局の選択などを実行する。このように、ＭＭＥ３００は、ある局面において、基地局装置２００を介して移動局装置を制御する。
【００４５】
なお、以下では、説明の便宜上、ＭＴＣデバイス１００Ａ〜１００Ｄを区別することなく１つのＭＴＣデバイスを表す場合には、「ＭＴＣデバイス１００」と称する。
【００４６】
＜Ｂ．処理の概要＞
以下、無線通信システム１で行なわれる処理の概要について説明する。
【００４７】
無線通信システム１では、少なくとも各ＭＴＣデバイス１００Ａ〜１００Ｄの送信するデータのブロックサイズが共通するように、ＭＴＣデバイス１００Ａ〜１００Ｄがグループ分けされている。すなわち、基地局装置２００にデータを送信する際のアプリケーションデータフォーマット（図１０，１１等）の違いに応じて、グループ分けがなされている。さらに、同一のグループでは、各ＭＴＣデバイスのトラフィック分布が共通するように、無線通信システム１が構成されている。
【００４８】
また、以下では、機能が共通するＭＴＣデバイス１００Ａ，１００ＢがグループＡ（第１のグループ）に、機能が共通するＭＴＣデバイス１００Ｃ，１００ＤがグループＢ（第２のグループ）に分けられているとする。どのＭＴＣデバイスがどのグループに属しているのかは、後述するグループＩＤで特定される（図４）。
【００４９】
基地局装置２００またはＭＭＥ３００は、複数のグループ（グループＡ，グループＢ）の各々に対して、アクセス要求受付区間を設定する。たとえば、基地局装置２００またはＭＭＥ３００は、グループＡに対してアクセス要求受付区間ＰＡを設定し、グループＢに対してアクセス要求受付区間ＰＢを設定する。なお、基地局装置２００およびＭＭＥ３００以外の他の実体（図示せず）が、アクセス要求受付区間を設定するように、無線通信システム１を構成してもよい。
【００５０】
アクセス要求受付区間とは、無線通信システム１のアップリンクで利用可能な無線リソースをいう。具体的には、アクセス要求受付区間とは、連続する複数のリソースブロックで構成される。たとえば、基地局装置２００またはＭＭＥ３００は、グループＡのＭＴＣデバイス１００Ａ，１００Ｂの各々に対して、グループＡにおいて共通する無線リソースＲＡαを割り当て、グループＢのＭＴＣデバイス１００Ｃ，１００Ｄの各々に対して、グループＢにおいて共通する無線リソースＲＢαを割り当てる。アクセス要求受付区間の詳細については、後述する。
【００５１】
各ＭＴＣデバイス１００は、グループ毎に設定されたアクセス要求受付区間において、予め定められた信号フォーマットのアクセス要求信号を、基地局装置２００に送信する。基地局装置２００は、アクセス要求信号に対応したアクセス許可信号を各ＭＴＣデバイス１００に対して一括して送信する。具体的には、基地局装置２００は、グループＡのＭＴＣデバイス１００Ａ，１００Ｂの各々に対して、当該グループＡにおいて共通する無線リソースＲＡβを割り当て、グループＢのＭＴＣデバイス１００Ｃ，１００Ｄの各々に対して、当該グループＢにおいて共通する無線リソースＲＢβを割り当てる。基地局装置２００は、無線リソースＲＡβの割り当てを示すリソース割当情報を含んだアクセス許可信号（制御情報Ｃ１）を、グループＡのＭＴＣデバイス１００Ａ，１００Ｂの各々に送信し、無線リソースＲＢβの割り当てを示すリソース割当情報を含んだアクセス許可信号（制御情報Ｃ２）を、グループＢのＭＴＣデバイス１００Ｃ，１００Ｄの各々に送信する。
【００５２】
各ＭＴＣデバイス１００は、アクセス許可信号に含まれるリソース割当情報にしたがって、予め定められた信号フォーマットを用いてデータを基地局装置２００に送信する。具体的には、グループＡのＭＴＣデバイス１００Ａ，１００Ｂは、無線リソースＲＡβを用いて、データを基地局装置２００に送信する。グループＢのＭＴＣデバイス１００Ｃ，１００Ｄは、無線リソースＲＢβを用いて、データを基地局装置２００に送信する。
【００５３】
基地局装置２００は、マルチユーザ検出（ＭＵＤ）技術を用いることで、複数のＭＴＣデバイス１００から同時にデータを受信する。
【００５４】
上記のように、無線通信システム１では、複数のＭＴＣデバイス１００をグループ化してアクセス要求、リソース割り当て、およびデータ送信を一括して行うことにより、多くのＭＴＣデバイス１００のネットワーク（基地局装置２００，ＭＭＥ３００，サーバ装置４００）への接続を効率的に行うことができる。
【００５５】
なお、以下では、説明の便宜上、基地局装置２００が、複数のグループの各々に対してアクセス要求受付区間を設定する構成を例に挙げて説明する。
【００５６】
＜Ｃ．ハードウェア構成＞
（ｃ１．ＭＴＣデバイス１００）
図２は、ＭＴＣデバイス１００のハードウェア構成の概略を表す図である。図２を参照して、ＭＴＣデバイス１００は、ＣＰＵ（Central  Processing  Unit）１１０と、メモリ１１１と、通信処理回路１１２と、無線ＩＦ１１３と、センサ１１４と、Ａ／Ｄ（Analog  to  Digital）変換器１１５と、タイマ１１６と、電源制御回路１１７と、電源１１８とを含んで構成される。
【００５７】
ＣＰＵ１１０は、電源制御回路１１７から起動指示信号が入力された場合、メモリ１１１に記憶されたプログラムを読み出す。ＣＰＵ１１０は、読み出したプログラムを動作させてＭＴＣデバイス１００全体の動作を制御する。ＣＰＵ１１０は、メモリ１１１から予め記憶された機器識別子（デバイスＩＤ）およびＭＴＣグループ識別子（グループＩＤ）を読み出す。ＣＰＵ１１０は、通信処理回路１１２から入力された基地局装置２００からの受信情報から、グループＩＤに対応したアクセス要求受付区間に対応する情報を抽出する。ＣＰＵ１１０は、上記抽出されたアクセス要求受付区間に対応する情報をメモリ１１１に記憶する。ＣＰＵ１１０は、上記アクセス要求受付区間に対応して、スケジュール情報を生成し、電源制御回路１１７に設定する。
【００５８】
ＣＰＵ１１０は、Ａ／Ｄ変換器１１５から入力されたディジタルデータをメモリ１１１に一時記憶する。ＣＰＵ１１０は、上記アクセス要求受付区間に対応して、アクセス要求信号を生成する。ＣＰＵ１１０は、生成されたアクセス要求信号を、基地局装置２００へ送信する信号として通信処理回路１１２に出力する。ＣＰＵ１１０は、通信処理回路１１２から入力された基地局からのアクセス許可信号に対応して、メモリ１１１に一時記憶しておいたディジタルデータを基地局装置２００に送信するための信号を生成する。ＣＰＵ１１０は、生成された信号を、通信処理回路１１２に出力する。ＣＰＵ１１０は、電源制御回路１１７から停止指示信号が入力された場合、動作中のプログラムの動作を停止することにより、タイマ１１６および電源制御回路１１７以外の動作を停止させる。
【００５９】
通信処理回路１１２は、無線ＩＦ１１３から入力された基底周波数帯域の信号（受信した信号）を処理して情報信号系列または制御情報系列を生成する。通信処理回路１１２は、静止得された系列を、ＣＰＵ１１０に出力する。通信処理回路１１２は、ＣＰＵ１１０から入力された信号を、基地局装置２００に送信するための基底周波数帯域の信号として、無線ＩＦ１１３に出力する。
【００６０】
無線ＩＦ１１３は、基地局装置２００から電波で受信した信号をダウンコンバートして、基底周波数帯域の信号を生成する。無線ＩＦ１１３は、生成した基底周波数帯域の信号を通信処理回路１１２に出力する。無線ＩＦ１１３は、通信処理回路１１２から入力された基底周波数帯域の信号をアップコンバートして無線周波数帯域の信号を生成する。無線ＩＦ１１３は、生成した無線周波数領域の信号を、電力を増幅して電波で基地局装置２００に出力する。
【００６１】
センサ１１４は、ＭＴＣデバイス１００の周囲環境を表すアナログデータを検知する。センサ１１４は、例えば、画像を撮影するカメラ、あるいは電力を計測するための電圧計および電流計を含む電力センサが該当する。センサ１１４は、検知したアナログデータをＡ／Ｄ変換器１１５に出力する。
【００６２】
Ａ／Ｄ変換器１１５は、センサ１１４から入力されたアナログデータをＡ／Ｄ変換してディジタルデータを生成する。Ａ／Ｄ変換器１１５は、生成したディジタルデータをＣＰＵ１１０に出力する。
【００６３】
タイマ１１６は、現在の時刻を逐次に計測し、計測した時刻情報をＣＰＵ１１０および電源制御回路１１７に出力する。
【００６４】
電源制御回路１１７においては、電源１１８を起動させる起動時刻と停止させる停止時刻とに関する情報を表すスケジューリング情報が予め設定されている。但し、「停止」とは、タイマ１１６および電源制御回路１１７が動作し、その他の機能部が停止する状態を意味する。電源制御回路１１７は、タイマ１１６から入力された時刻情報が、当該時刻情報に対応するスケジューリング情報が表す起動時刻に達した場合、起動することを表す起動指示信号を生成する。電源制御回路１１７は、タイマ１１６から入力された時刻情報が、該時刻情報に対応するスケジューリング情報が表す停止時刻に達した場合、停止することを表す停止指示信号を生成する。電源制御回路１１７は、生成した起動指示信号又は停止指示信号をＣＰＵ１１０及び電源１１８に出力する。
【００６５】
電源１１８は、電源制御回路１１７から起動指示信号が入力された場合、ＭＴＣデバイス１００の各部に電力を供給する。電源１１８は、電源制御回路１１７から停止指示信号が入力されＣＰＵ１１０の動作が停止した後、タイマ１１６及び電源制御回路１１７以外の各部への電源１１８の供給を停止する。
【００６６】
ＭＴＣデバイス１００における処理は、各ハードウェアおよびＣＰＵ１１０により実行されるソフトウェアによって実現される。このようなソフトウェアは、メモリ１１１に予め記憶されている場合がある。また、ソフトウェアは、メモリカードその他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、ＩＣカードリーダライタその他の読取装置によりその記憶媒体から読み取られて、あるいは、無線ＩＦ１１３を介してダウンロードされた後、メモリ１１１に一旦格納される。そのソフトウェアは、ＣＰＵ１１０によってメモリ１１１から読み出され、さらにメモリ１１１に実行可能なプログラムの形式で格納される。ＣＰＵ１１０は、そのプログラムを実行する。
【００６７】
同図に示されるＭＴＣデバイス１００を構成する各構成要素は、一般的なものである。したがって、本発明の本質的な部分は、メモリ１１１、メモリカードその他の記憶媒体に格納されたソフトウェア、あるいはネットワークを介してダウンロード可能なソフトウェアであるともいえる。
【００６８】
なお、記録媒体としては、ＤＶＤ-ＲＯＭ、ＣＤ−ＲＯＭ、ＦＤ、ハードディスクに限られず、磁気テープ、カセットテープ、光ディスク、光カード、マスクＲＯＭ、ＥＰＲＯＭ、ＥＥＰＲＯＭ、フラッシュＲＯＭなどの半導体メモリ等の固定的にプログラムを担持する媒体でもよい。また、記録媒体は、当該プログラム等をコンピュータが読取可能な一時的でない媒体である。また、ここでいうプログラムとは、ＣＰＵにより直接実行可能なプログラムだけでなく、ソースプログラム形式のプログラム、圧縮処理されたプログラム、暗号化されたプログラム等を含む。
【００６９】
（ｃ２．基地局装置２００）
図３は、基地局装置２００の典型的なハードウェア構成を表した図である。図３を参照して、基地局装置２００は、アンテナ２１０と、無線処理部２３０と、制御・ベースバンド部２５０とを備える。
【００７０】
無線処理部２３０は、デュプレクサ２３０１と、パワーアンプ２３０３と、ローノイズアンプ２３０５と、送信回路２３０７と、受信回路２３０９と、直交変復調部２３１１とを備える。制御・ベースバンド部２５０は、ベースバンド回路２５１と、制御装置２５２と、電源装置２５５と、タイミング制御部２５３と、通信インターフェイス２５４とを備える。制御装置２５２は、ＣＰＵ２５２１と、ＲＯＭ２５２２と、ＲＡＭ２５２３と、不揮発性メモリ２５２４と、ＨＤＤ（Hard  Disk  Drive）２５２５とを備える。
【００７１】
直交変復調部２３１１は、ベースバンド回路２５１で処理されるＯＦＤＭ（Orthogonal  Frequency  Division  Multiplexing）信号を直交変復調し、アナログ信号（ＲＦ（Radio  Frequency）信号）と変換する。送信回路２３０７は、直交変復調部２３１１で生成されたＲＦ信号を、電波として送出する周波数に変換する。受信回路２３０９は、受信した電波を直交変復調部２３１１で処理する周波数に変換する。
【００７２】
パワーアンプ２３０３は、送信回路２３０７で生成したＲＦ信号を、アンテナ２１０から送信するために電力増幅する。ローノイズアンプ２３０５は、アンテナ２１０で受信した微弱電波を増幅し、受信回路２３０９に渡す。
【００７３】
制御装置２５２は、基地局装置２００全体の制御、および呼制御のプロトコルや制御監視を行なう。タイミング制御部２５３は、伝送路等から抽出した基準クロックを基に、基地局装置２００内部で使用する各種クロックを生成する。
【００７４】
通信インターフェイス２５４は、イーサネット（登録商標）などの伝送路を接続し、ＩＰｓｅｃ（Security  Architecture  for  Internet  Protocol）、ＩＰｖ６（Internet  Protocol  Version  6）等のプロトコルを処理してＩＰパケットの授受を行なう。
【００７５】
ベースバンド回路２５１は、通信インターフェイス２５４を用いて授受するＩＰパケットと、無線上に乗せるＯＦＤＭ信号（ベースバンド信号）の変換（変復調）を行なう。また、ベースバンド信号は無線処理部２３０との間で授受される。
【００７６】
電源装置２５５は、基地局装置２００に供給される電圧を、基地局装置２００内部で使用する電圧に変換する。
【００７７】
基地局装置２００における処理は、各ハードウェアおよびＣＰＵ２５２１により実行されるソフトウェアによって実現される。このようなソフトウェアは、ＨＤＤ２５２５等に予め記憶されている場合がある。また、ソフトウェアは、メモリカード（図示せず）その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、ＩＣカードリーダライタその他の読取装置によりその記憶媒体から読み取られて、あるいは、通信インターフェイス２５４を介してダウンロードされた後、ＨＤＤ２５２５に一旦格納される。そのソフトウェアは、ＣＰＵ２５２１によってＨＤＤ２５２５から読み出され、さらに不揮発性メモリ２５２４に実行可能なプログラムの形式で格納される。ＣＰＵ２５２１は、そのプログラムを実行する。
【００７８】
同図に示される基地局装置２００を構成する各構成要素は、一般的なものである。したがって、本発明の本質的な部分は、ＨＤＤ２５２５、不揮発性メモリ２５２４、メモリカードその他の記憶媒体に格納されたソフトウェア、あるいはネットワークを介してダウンロード可能なソフトウェアであるともいえる。なお、基地局装置２００の各ハードウェアの動作は周知であるので、詳細な説明は繰り返さない。
【００７９】
なお、記録媒体としては、ＤＶＤ-ＲＯＭ、ＣＤ−ＲＯＭ、ＦＤ（Flexible  Disk）、ハードディスクに限られず、磁気テープ、カセットテープ、光ディスク（ＭＯ（Magnetic  Optical  Disc）／ＭＤ（Mini  Disc）／ＤＶＤ（Digital  Versatile  Disc））、光カード、マスクＲＯＭ、ＥＰＲＯＭ（Electronically  Programmable  Read-Only  Memory）、ＥＥＰＲＯＭ（Electronically  Erasable  Programmable  Read-Only  Memory）、フラッシュＲＯＭなどの半導体メモリ等の固定的にプログラムを担持する媒体でもよい。また、記録媒体は、コンピュータが読取可能な一時的でない媒体である。また、ここでいうプログラムとは、ＣＰＵにより直接実行可能なプログラムだけでなく、ソースプログラム形式のプログラム、圧縮処理されたプログラム、暗号化されたプログラム等を含む。
【００８０】
＜Ｄ．処理の詳細＞
次に、無線通信システム１で行なわれる処理の詳細について説明する。
【００８１】
図４は、ＭＴＣデバイス１００のグループ分けを説明するための図である。上述したように、共通の機能（特性）を持つＭＴＣデバイス同士が共通のグループに分けられている。
【００８２】
図４を参照して、データテーブル４では、サービス分野、アプリケーション、およびサービス業者にて、グループを表すグループＩＤが対応付けられている。データテーブル４は、基地局装置２００またはＭＭＥ３００に格納されている。サービス分野としては、たとえば、セキュリティ分野、医療分野、計測分野等が挙げられる。アプリケーションとしては、たとえば、ビルメンテナンス、自動車、人体の状態測定（心拍数、体温、血圧等）、老人サポート、電力、ガス、水道等の分野で用いられるアプリケーションが挙げられる。
【００８３】
例えば、グループＩＤが“０００１”（「グループＡ」に対応）の監視カメラによるビルメンテナンスのためのアプリケーションでは、監視カメラ（ＭＴＣデバイス１００Ａ，１００Ｂ）の映像を３００ｋｂｐｓで連続的に送信する。たとえば、ＭＴＣデバイス１００ＡおよびＭＴＣ１００Ｂは、Ａ社の監視カメラに該当する。ＭＴＣデバイス１００Ａ，１００Ｂは，遅延を許容して通信効率を高めるために、一秒間に一回３００ｋｂｉｔのデータブロックを基地局装置２００に送信する。
【００８４】
グループＩＤが“０００９”（「グループＢ」に対応）の電力メータによる消費電力測定のアプリケーションでは、電力メータ（ＭＴＣデバイス１００Ｃ，１００Ｄ）は、１時間に１回の割合で３２ビットのデータブロックを送信する。たとえば、ＭＴＣデバイス１００ＣおよびＭＴＣ１００Ｄは、Ｉ社の監視カメラに該当する。
【００８５】
各ＭＴＣデバイス１００は、位置登録処理によって、ＭＭＥ３００からグループＩＤの割り当てを受ける。なお、位置登録の際の通信は、以下のアクセス要求受付区間に縛られない。あるいは、予めメモリ（ＲＯＭ（Read  Only  Memory）またはＵＳＩＭ（Universal  Subscriber  Identification  Module）等）に設定されたＩＤをグループＩＤとして用いることも可能である。
【００８６】
基地局装置２００は、各グループに対してアクセス要求受付区間をそれぞれ設定する。基地局装置２００は、設定したアクセス要求受付区間を報知情報として各ＭＴＣデバイス１００に通知する。この際、無線通信システム１では、各グループのＭＴＣデバイス１００が自装置のグループを表した情報を含む情報ブロックのみを受信するようにし、図示しない非ＭＴＣデバイス（ＭＴＣデバイス以外のユーザ端末装置）は当該情報を受信しないように、各端末装置（ＭＴＣデバイスおよび非ＭＴＣデバイス）を構成してもよい。または、位置登録の際に、グループを表した情報を、ＭＴＣデバイス１００に通知することも可能である。
【００８７】
各ＭＴＣデバイス１００は、自装置のグループに割り当てられたアクセス要求受付区間において、上記グループＩＤに基づき、報知情報等で指示されたフォーマットでアクセス要求信号を基地局装置２００に送信する。
【００８８】
基地局装置２００は、受信した信号に基づいて、どのＭＴＣデバイス１００がアクセス要求信号を送信したかを判定する。なお、アクセス要求信号として直交性の高い信号を使用することにより、基地局装置２００は複数のＭＴＣデバイス１００から同時にアクセス要求信号を受信することが可能とする。
【００８９】
図５は、アクセス要求受付区間の一例を説明するための図である。具体的には、図５は、グループＡに割り当てられたアクセス要求受付区間ＰＡを表した図である。図５を参照して、グループＡのＭＴＣデバイス１００Ａ，１００Ｂは割り当てられたアクセス要求受付区間ＰＡで、アクセス要求を基地局装置２００に送信する。アクセス要求受付区間ＰＡは、１つのフレームにおける予め定められたサブフレーム（上りリンクサブフレーム）における、周波数方向に連続した６つのリソースブロックで構成される。具体的には、アクセス要求受付区間ＰＡは、リソースブロックＥ１とリソースブロックＥ６とで規定される区間である。
【００９０】
なお、ＬＴＥでは、複数の上りリンクサブフレームの各々は、時間軸方向に隣接した２つのスロット（上りリンクスロット）で構成される。各スロットは、周波数軸方向に複数のリソースブロックを含む。各リソースブロックは、１８０ｋＨｚ×０．５ｍｓｅｃの領域で構成される。また、各リソースブロックは、複数のリソースエレメント（周波数軸方向に１２個、時間軸方向に７個の計８４個のリソースエレメント）で構成される。
【００９１】
このように、グループＡのＭＴＣデバイス１００Ａ，１００Ｂの各々は、１つのフレームにおける予め定められたサブフレーム（上りリンクサブフレーム）における、周波数方向に連続した６つのリソースブロック（無線リソース）を用いて、データを基地局装置２００に送信する。
【００９２】
ＭＴＣデバイス１００Ａ，１００Ｂは、グループＡに対応する、フレームの番号、上りリンクサブフレームの番号、および周波数オフセットに基づき、アクセス要求受付区間ＰＡを判断する。なお、フレームの番号は、約１０秒間隔で繰り返されるため、区間同士の間隔を長くするためには、別のパラメータが必要となる。また、ＭＴＣデバイス１００Ａ，１００Ｂは、ｒｏｏｔ  ｓｅｑｕｅｎｃｅ  ｉｎｄｅｘで与えられるパラメータを使って系列を生成し、デバイスＩＤに対応したシフト処理を行なう。
【００９３】
基地局装置２００は、ＭＴＣデバイス１００から送信されたアクセス要求信号を受信する。基地局装置２００は、受信したアクセス要求信号が、指定したグループのデバイスからのアクセス要求信号であることを確認する。基地局装置２００は、アクセス要求信号の数が許容数以下であれば、これらのＭＴＣデバイス１００に対してリソース割当情報（アクセス許可，スケジューリング）を含む制御信号を送信する。
【００９４】
図６は、アクセス許可信号（制御情報）に含まれるリソース割当情報のフォーマットを表した図である。図６を参照して、リソース割当情報のフォーマット６を用いることにより、１つのリソース割当情報によって、複数のデバイスの割り当てを通知することができる。デバイス数Ｎは、割り当てを行うＭＴＣデバイス１００の数を表す。デバイスＩＤ（ＩＤ１〜ＩＤＮ）は各ＭＴＣデバイス１００のＩＤを示す。リソース情報のフィールドには、割り当てるリソースにおけるリソースブロックの開始位置と長さとの情報が含まれている。ＭＣＳ（Modulation  and  Coding  Scheme）は送信の際の変調方式と符号化率との組み合わせを示す。ＴＦ（Transport  Format）は送信フォーマットを示す。
【００９５】
図７は、割り当てられたリソースの一例を説明するための図である。図７を参照して、デバイスＩＤによって指定したＮ個のＭＴＣデバイス１００は、リソース情報のフィールドで示されるリソースブロックを共有して使用する。共通のリソースを割り当てられたＮ個のＭＴＣデバイス１００は、共通のＭＣＳと共通のＴＦとを使用する。つまり、Ｎ個のＭＴＣデバイス１００は、区間ＱＡにおいて、共通のＭＣＳと共通のＴＦとを使用して、データ（映像データ等）を基地局装置２００に送信する。
【００９６】
たとえば、グループＡのＭＴＣデバイス１００Ａ、１００Ｂは、割り当てられた区間ＱＡで、データを基地局装置２００に送信する。区間ＱＡは、１つのフレームにおける予め定められた上りリンクサブフレームにおける、周波数方向に連続した１２個のリソースブロックで構成される。具体的には、区間ＱＡは、リソースブロックＥ１０１とリソースブロックＥ１１２とで規定される区間である。この場合、グループＡのＭＴＣデバイス１００Ａ，１００Ｂの各々は、１つのフレームにおける予め定められた上りリンクサブフレームにおける、周波数方向に連続した１２つのリソースブロック（無線リソース）を用いて、映像データを基地局装置２００に送信する。
【００９７】
以上のように、同じグループに属するＭＴＣデバイス１００の各々は、共通のアプリケーションデータフォーマットの映像データを、共通の無線リソースと共通のＭＣＳと共通のＴＦとを用いて基地局装置２００に送信する。
【００９８】
ところで、上記では、図６では、１つのグループ（たとえばグループＡ）内のすべてのＭＴＣデバイス１００に対して共通のＭＣＳおよびＴＦを割り当てる例を挙げたが、これに限定されるものではない。たとえば、基地局装置２００からの距離に応じて１つのグループを複数のグループに細分化して、細分化したそれぞれのグループ同士で異なったＭＣＳおよびＴＦを割り当ててもよい。
【００９９】
図８は、細分化したそれぞれのグループ同士で異なったＭＣＳおよびＴＦを割り当てる場合における、リソース割当情報のフォーマット８を表した図である。図８を参照して、フォーマット８におけるデバイスＩＤＡ１〜ＩＤＡＮで特定されるＮＡ個のＭＴＣデバイス１００は、リソース情報ＶＡで指定されるリソースブロックで、共通のＭＣＳＡと共通のＴＦＡとを使用して、データを基地局装置２００に送信する。デバイスＩＤＢ１〜ＩＤＢＮで特定されるＮＢ個のＭＴＣデバイス１００は、リソース情報ＶＢで指定されるリソースブロックで、共通のＭＣＳＢと共通のＴＦＢとを使用して、データを基地局装置２００に送信する。
【０１００】
つまり、Ｎ個のＭＴＣデバイス１００のうちの一部のＭＴＣデバイス１００は、区間ＱＢにおいて、共通のＭＣＳＡと共通のＴＦＡとを使用して、データ（映像データ等）を基地局装置２００に送信する一方、Ｎ個のＭＴＣデバイス１００のうちの残りのＭＴＣデバイス１００は、区間ＱＣにおいて、共通のＭＣＳＢと共通のＴＦＢとを使用して、データ（映像データ等）を基地局装置２００に送信する。
【０１０１】
図９は、細分化したそれぞれのグループ同士で異なったＭＣＳおよびＴＦを割り当てる場合における、割り当てられたリソースの一例を説明するための図である。図９を参照して、たとえば、グループＡのＭＴＣデバイス１００Ａは、割り当てられた区間ＱＢで、データを基地局装置２００に送信する。区間ＱＢは、１つのフレームにおける予め定められた上りリンクサブフレームにおける、周波数方向に連続した１０個のリソースブロックで構成される。具体的には、区間ＱＢは、リソースブロックＥ２０１とリソースブロックＥ２１０とで規定される区間である。
【０１０２】
また、グループＡのＭＴＣデバイス１００Ｂは、割り当てられた区間ＱＣで、データを基地局装置２００に送信する。区間ＱＣは、１つのフレームにおける予め定められた上りリンクサブフレームにおける、周波数方向に連続した１１個のリソースブロックで構成される。具体的には、区間ＱＣは、リソースブロックＥ３０１とリソースブロックＥ３１１とで規定される区間である。なお、リソースブロックＥ３０１は、リソースブロックＥ２１０と隣接している。
【０１０３】
図１０は、グループＡのＭＴＣデバイス１００Ａ，１００Ｂ（監視カメラ）に用いられるアプリケーションのデータフォーマットを表した図である。図１０を参照して、ＭＴＣデバイス１００Ａ，１００Ｂは、撮像により得られた動画データを、３００ｋビットで送信するデータフォーマット１０を用いて、撮像した映像データを、基地局装置２００およびＭＭＥ３００を介してサーバ装置４００に送信する。
【０１０４】
図１１は、グループＢのＭＴＣデバイス１００Ｃ，１００Ｄ（電力メータ）に用いられるアプリケーションのデータフォーマットを表した図である。図１１を参照して、ＭＴＣデバイス１００Ｃ，１００Ｄは、測定により得られた消費電力データを、１６ビットで送信するデータフォーマット１１を用いて、基地局装置２００およびＭＭＥ３００を介してサーバ装置４００に送信する。
【０１０５】
また、ＭＴＣデバイスから送信するデータには図１０および１１に示すアプリケーションデータのほかにあらかじめ設定された自身のＩＰアドレスや宛先となるＭＴＣサーバのＩＰアドレスを含むＩＰヘッダ、およびポート番号等を含むＴＣＰまたはＵＤＰのヘッダ等の情報を含めることも可能である。
【０１０６】
基地局装置２００は、同時に同じグループの複数のＭＴＣデバイス１００の送信を割り当てると、各ＭＴＣデバイス１００から同時に送信される信号の長さは統一化される。異なるデータ長の送信データを共通のＴＦに割り当てるとパディングが必要になるので非効率になるが、この場合は統一されたデータ長の信号を共通のＴＦに対応付けることで効率的な送信が可能になる。各ＭＴＣデバイスは、ＭＴＣデバイス１００に対して固有に割り当てられたデバイスＩＤを使って、送信する信号を生成する。
【０１０７】
ところで、無線通信システム１では、複数のＭＴＣデバイス１００が共通の無線リソースを使用することになるので、信号は衝突し互いに干渉を与える可能性がある。基地局装置２００が、他のＭＴＣデバイス１００の信号の干渉を抑圧して、各ＭＴＣデバイス１００から送信されたデータを抽出する方法はいくつか考えられる。無線通信システム１では、データを抽出する方法として、上述したＩＤＭＡ方式を用いる。
【０１０８】
ＩＤＭＡ方式に関する上述した非特許文献３ではセル内のすべての端末に共通のＭＣＳのみ通知し、スケジューリングを行わないとしているが、無線通信システム１ではアクセス要求信号に応じてＭＴＣデバイス１００のスケジューリングを行なう。しかし、スケジューリングは複数のＭＴＣデバイス１００に対して一括して送ることができるため、スケジューリングに要する制御情報は、１つ１つのＭＴＣデバイスに対してスケジューリングを行なう従来の方法に比べて、圧倒的に小さくなる。
【０１０９】
また、ＩＤＭＡ信号の受信および復調処理については、図２２および図２３に基づいて説明した方法を用いる。このため、ここでは繰り返し説明は行なわない。
【０１１０】
信号推定の精度を高めていくための上述したＭＵＤによる繰り返し処理を行う際、各ＭＴＣデバイス１００のデータが共通のＭＣＳおよびＴＦを用いて送信されることは重要である。各ＭＴＣデバイス１００がそれぞれ異なるＭＣＳおよび／または異なるＴＦでデータを基地局装置２００に送信すると、基地局装置２００でのＭＵＤ処理がＭＴＣデバイス１００毎に異なるため、処理の割り当てが複雑になる。ＭＣＳおよびＴＦが統一されていると、基地局装置２００は、繰り返し行われる各ＭＴＣデバイス１００から送られてくる信号の復号処理を並列化して行うことが容易になる。すなわち、ＭＣＳおよびＴＦが共通化できない場合は、図２３のインターリーバの長さや、デコーダの処理量、記憶容量等が異なってくることに加え、処理遅延もばらばらになる。ＭＣＳおよびＴＦを統一することにより、各ユーザのデインターリーバ，ＡＰＰデコーダ，およびインターリーバの構成を共通化させて、インターリーブパターンのみを変更すればよい。ＭＣＳおよびＴＦを統一することにより、処理遅延も均一になるため、基地局装置２００は、復号処理の並列化が行いやすい。さらに、ＭＣＳおよびＴＦを統一することにより、基地局装置２００は、ＭＣＳおよびＴＦを決定するための品質測定、およびデータ量の通知などの処理を行う必要がなくなる。
【０１１１】
＜Ｅ．機能的構成＞
図１２は、ＭＴＣデバイス１００の機能的構成と、基地局装置２００の機能的構成とを説明するための図である。なお、図１２では、説明の便宜上、１つのＭＴＣデバイス１００のみを記載している。図１２を参照して、ＭＴＣデバイス１００は、送信部１０１と、受信部１０２とを備える。基地局装置２００は、割当部２０１と、送信部２０２と、受信部２０３とを備える。
【０１１２】
（１）基地局装置２００の割当部２０１は、複数のＭＴＣデバイス１００のうち、第１のアプリケーションデータフォーマットを用いて基地局装置２００にデータを送信するグループＡのＭＴＣデバイス１００Ａ，１００Ｂの各々に対して、グループＡにおいて共通する無線リソースＲＡα（第１の無線リソース）を割り当てる。また、割当部２０１は、複数のＭＴＣデバイス１００のうち、第２のアプリケーションデータフォーマットを用いて基地局装置２００にデータを送信するグループＢのＭＴＣデバイス１００Ｃ，１００Ｄの各々に対して、グループＢにおいて共通する無線リソースＲＢα（第３の無線リソース）をさらに割り当てる。
【０１１３】
グループＡのＭＴＣデバイス１００Ａ，１００Ｂにおける各送信部１０１は、無線リソースＲＡαを用いて、基地局装置２００へのアクセスを要求するための要求信号を基地局装置に２００送信する。グループＢのＭＴＣデバイス１００Ｃ，１００Ｄにおける各送信部１０１は、無線リソースＲＢαを用いて、基地局装置２００へのアクセスを要求するための要求信号を基地局装置に２００送信する。
【０１１４】
基地局装置２００の受信部２０３は、グループＡのＭＴＣデバイス１００Ａ，１００Ｂの各々から、要求信号を受信する。また、受信部２０３は、グループＢのＭＴＣデバイス１００Ｃ，１００Ｄの各々から、要求信号を受信する。
【０１１５】
また、割当部２０１は、要求信号を送信したＭＴＣデバイス１００Ａ，１００Ｂの各々に対して、グループＡにおいて共通する無線リソースＲＡβ（第２の無線リソース）を割り当てる。さらに、割当部２０１は、要求信号を送信したＭＴＣデバイス１００Ｃ，１００Ｄの各々に対して、グループＢにおいて共通する無線リソースＲＢβ（第４の無線リソース）を割り当てる。
【０１１６】
基地局装置２００の送信部２０２は、無線リソースＲＡβの割り当てを示す割当情報を含んだアクセス許可信号（制御情報Ｃ１）を、要求信号を送信したＭＴＣデバイス１００Ａ，１００Ｂ通信装置の各々に送信する。また、送信部２０２は、無線リソースＲＢβの割り当てを示す割当情報を含んだアクセス許可信号（制御情報Ｃ２）を、要求信号を送信したＭＴＣデバイス１００Ｃ，１００Ｄの各々に送信する。
【０１１７】
グループＡのＭＴＣデバイス１００Ａ，１００Ｂの各受信部１０２は、基地局装置２００から、無線リソースＲＡβの割り当てを示す割当情報を含んだアクセス許可信号（制御情報Ｃ１）を受信する。一方、グループＢのＭＴＣデバイス１００Ｃ，１００Ｄの各受信部１０２は、基地局装置２００から、無線リソースＲＢβの割り当てを示す割当情報を含んだアクセス許可信号（制御情報Ｃ２）を受信する。
【０１１８】
グループＡのＭＴＣデバイス１００Ａ，１００Ｂの各送信部１０１は、無線リソースＲＡβを用いて、対象となるデータ（監視カメラで撮像された映像データ）を基地局装置２００に送信する。グループＢのＭＴＣデバイス１００Ｃ，１００Ｄの各送信部１０１は、無線リソースＲＢβを用いて、対象となるデータ（電力メータにより測定された消費電力）を基地局装置２００に送信する。
【０１１９】
（２）グループＡのＭＴＣデバイス１００Ａ，１００Ｂの各々に対して、共通のグループＩＤが設定されている。また、グループＢのＭＴＣデバイス１００Ｃ，１００Ｄの各々に対しても、グループＡとは異なる、共通のグループＩＤが設定されている。
【０１２０】
前記基地局装置２００の割当部２０１は、グループＡのグループＩＤを有するＭＴＣデバイス１００Ａ，１００Ｂの各々に対して、グループＡにおいて共通する無線リソースＲＡαを割り当てる。また、割当部２０１は、グループＢのグループＩＤを有するＭＴＣデバイス１００Ｃ，１００Ｄの各々に対して、グループＢにおいて共通する無線リソースＲＢαを割り当てる。
【０１２１】
（３）無線リソースＲＡβの割り当てを示す割当情報を含んだアクセス許可信号（制御情報Ｃ１）、および無線リソースＲＢβの割り当てを示す割当情報を含んだアクセス許可信号（制御情報Ｃ２）は、ＭＴＣデバイス１００を識別するための複数のデバイスＩＤを含んでいる（図６等）。
【０１２２】
無線リソースＲＡβの割り当てを示す割当情報を含んだアクセス許可信号（制御情報Ｃ１）は、グループＡのＭＴＣデバイス１００Ａ，１００Ｂの各々が使用する共通の信号形式（ＭＣＳおよび／またはＴＦ）をさらに含む。また、無線リソースＲＢβの割り当てを示す割当情報を含んだアクセス許可信号（制御情報Ｃ２）は、グループＢのＭＴＣデバイス１００Ｃ，１００Ｄの各々が使用する共通の信号形式（ＭＣＳおよび／またはＴＦ）をさらに含む。
【０１２３】
（４）グループＡのＭＴＣデバイス１００Ａ，１００Ｂの各々が送信する映像データは、ＭＴＣデバイス１００Ａ，１００Ｂ毎に異なるインターリーブパターンにより生成されたインターリーブ分割多重アクセス方式に基づくデータである。つまり、第１グループ内でも、異なるインターリーブパターンにより映像データが生成される。また、グループＢのＭＴＣデバイス１００Ｃ，１００Ｄの各々が送信する消費電力は、ＭＴＣデバイス１００Ｃ，１００Ｄ毎に異なるインターリーブパターンにより生成されたインターリーブ分割多重アクセス方式に基づくデータである。
【０１２４】
（５）第１のアプリケーションデータフォーマットでは、データのブロックサイズが予め定められた値に規定されている。また、第２のアプリケーションデータフォーマットでは、データのブロックサイズが予め定められた値に規定されている。
【０１２５】
（６）グループＡのＭＴＣデバイス１００Ａ，１００Ｂは、監視カメラといった撮像機能を有する。さらに、ＭＴＣデバイス１００Ａ，１００Ｂは、基地局装置２００との間における通信において同じトラフィック分布を有する。
【０１２６】
グループＢのＭＴＣデバイス１００Ｃ，１００Ｄは、電力メータといった消費電力測定機能を有する。さらに、ＭＴＣデバイス１００Ｃ，１００Ｄは、基地局装置２００との間における通信において同じトラフィック分布を有する。
【０１２７】
＜Ｆ．制御構造＞
（ｆ１．シーケンスチャート）
図１３は、無線通信システム１における処理の流れを表したシーケンスチャートである。各ＭＴＣデバイス１００は、予め位置登録を行っており、上記のデバイスＩＤとして、個別のＩＤ（たとえばＴＭＳＩ：ｔｅｍｐｏｒａｒｙ  ｍｏｂｉｌｅ  ｓｕｂｓｃｒｉｂｅｒ  ｉｄｅｎｔｉｔｙ）が割り当てられている。なお、位置登録の際の通信は、以下のアクセス要求受付区間に縛られない。あるいは、位置登録を行わずに、個別のデバイスＩＤとして、ＲＯＭ（Read  Only  Memory）、ＵＳＩＭ（Universal  Subscriber  Identification  Module）等に予め設定されたＩＤ（たとえば、ＩＭＥＩ：International  Mobile  Equipment  Identity、またはＩＭＳＩ：International  Mobile  Subscriber  Identity）を用いることも可能である。
【０１２８】
図１３を参照して、シーケンスＳＱ２において、各ＭＴＣデバイス１００（１００Ａ〜１００Ｄ）は、基地局装置２００から報知情報を受信する。これにより、各ＭＴＣデバイス１００は、自装置の属するグループのアクセス要求受付区間の情報を受信する。
【０１２９】
この際、各グループのＭＴＣデバイス１００は自装置のグループの情報を含む情報ブロックのみの受信が可能なように各ＭＴＣデバイス１００を構成する。また、図示しない非ＭＴＣデバイス（ＭＴＣデバイス１００以外のユーザ端末）は、これらの情報を受信しないようにする。報知情報は、ＰＲＡＣＨのリースブロック割り当てと、信号フォーマットと、使用可能なプリアンブル系列（Preamble  sequence）とを、セットで含んでいる。プリアンブル系列は、アクセス要求を送信する際に用いる信号系列である。あるいは、基地局装置２００は、同様の情報を位置登録の際にＭＴＣデバイス１００に個別に通知することも可能である。
【０１３０】
シーケンスＳＱ４において、グループＡのＭＴＣデバイス１００Ａは、自装置の上記ＩＤと対応したプリアンブルパターンを選択して、指定されたアクセス要求受付区間ＰＡにアクセス要求信号を送信する。シーケンスＳＱ６において、グループＡのＭＴＣデバイス１００Ｂは、自装置の上記ＩＤと対応したプリアンブルパターンを選択して、指定されたアクセス要求受付区間ＰＡにアクセス要求信号を送信する。
【０１３１】
シーケンスＳＱ８において、グループＢのＭＴＣデバイス１００Ｃは、自装置の上記ＩＤと対応したプリアンブルパターンを選択して、指定されたアクセス要求受付区間ＰＢにアクセス要求信号を送信する。シーケンスＳＱ１０において、グループＢのＭＴＣデバイス１００Ｄは、自装置の上記ＩＤと対応したプリアンブルパターンを選択して、指定されたアクセス要求受付区間ＰＢにアクセス要求信号を送信する。
【０１３２】
なお、たとえば、ＩＤは１６ビットで与えられ、プリアンブルパターンの数は５１２とする。ＭＴＣデバイス１００は、ＩＤの下位９ビットに対応するプリアンブルパターンを選択する。プリアンブルパターンは、プリアンブル系列と、当該プリアンブル系列のサイクリックシフトとによって決定される。ＬＴＥのＰＲＡＣＨのパターンにならって、系列長を８３９とすると、一つの系列のシフトで上記のパターン数が確保できる。プリアンブルパターンの数を増やす場合には、複数のプリアンブル系列を用いてパターン数を増やすか、系列長の長いプリアンブル系列を使うようにすればよい。
【０１３３】
シーケンスＳＱ１２において、基地局装置２００は、マッチドフィルタ等を用いて、アクセス要求受付区間ＰＡおよびアクセス要求受付区間ＰＢで受信した信号の各々に、どのプリアンブルパターンが含まれるかを検出する。基地局装置２００は、検出されたプリアンブルパターンに対応するＭＴＣデバイス１００を判定して、送信割り当てを行うか否かを判断する。プリアンブルパターンに対してＭＴＣデバイス１００のＩＤは１対多の対応関係を有するため、基地局装置２００がＭＴＣデバイス１００を一意に特定できるとは限らない。この場合、基地局装置２００は、プリアンブルに対応するＭＴＣデバイス１００のＩＤの内、アクセス要求受付区間を設定したグループに属する複数のＭＴＣデバイスに対して、送信割り当てを行なう。なお、グループに属するＭＴＣデバイス１００の数が多い場合には、シーケンスＳＱ４，ＳＱ６，ＳＱ８，ＳＱ１０において、プリアンブルパターンの数を増やすなどの対策をとる。
【０１３４】
シーケンスＳＱ１４において、基地局装置２００は、送信割り当てを行うＭＴＣデバイス１００Ａ，１００Ｂに対して、リソース割当情報を含むアクセス許可信号を一括送信する。つまり、基地局装置２００は、グループＡ用のリソース割り当て情報を含む制御情報Ｃ１を、グループＡのＭＴＣデバイス１００Ａ，１００Ｂに送信する。
【０１３５】
シーケンスＳＱ１６において、基地局装置２００は、送信割り当てを行うＭＴＣデバイス１００Ｃ，１００Ｄに対して、リソース割当情報を含むアクセス許可信号を一括送信する。つまり、基地局装置２００は、グループＢ用のリソース割り当て情報を含む制御情報Ｃ２を、グループＢのＭＴＣデバイス１００Ｃ，１００Ｄに送信する。
【０１３６】
シーケンスＳＱ１８において、ＭＴＣデバイス１００Ａは、割り当てられた無線リソースを用いて、基地局装置２００に対して映像データを送信する。シーケンスＳＱ２０において、ＭＴＣデバイス１００Ｂは、割り当てられた無線リソースを用いて、基地局装置２００に対して映像データを送信する。なお、ＭＴＣデバイス１００ＡおよびＭＴＣデバイス１００Ｂの各々が送信する映像データは、ＩＤＭＡを用いて生成される。ＭＴＣデバイス１００Ａ，１００Ｂは、それぞれ、自装置についてのＩＤと対応したパターンのインターリーバを用いる。
【０１３７】
シーケンスＳＱ２２において、基地局装置２００は、対応したインターリーバでＭＴＣデバイス１００Ａ，１００Ｂの信号を分離して受信する。ＩＤＭＡ信号の受信手順については説明済みであるので、ここでは説明を繰り返さない。
【０１３８】
シーケンスＳＱ２４において、ＭＴＣデバイス１００Ｃは、割り当てられた無線リソースを用いて、消費電力の測定データを送信する。シーケンスＳＱ２６において、ＭＴＣデバイス１００Ｄは、割り当てられた無線リソースを用いて、消費電力の測定データを送信する。なお、ＭＴＣデバイス１００ＣおよびＭＴＣデバイス１００Ｄの各々が送信する消費電力データは、ＩＤＭＡを用いて生成される。ＭＴＣデバイス１００Ｃ，１００Ｄは、それぞれ、自装置についてのＩＤと対応したパターンのインターリーバを用いる。
【０１３９】
シーケンスＳＱ２８において、基地局装置２００は、対応したインターリーバでＭＴＣデバイス１００Ｃ，１００Ｄの信号を分離して受信する。ＩＤＭＡ信号の受信手順については説明済みであるので、ここでは説明を繰り返さない。
【０１４０】
ところで、上述した非特許文献３の方法ではアクセス要求の手順を経ないので、どのＭＴＣデバイスが送信してくるかがわからない。それゆえ、基地局装置で全てのインターリーバを試す必要がある。しかしながら、本実施の形態の方法では、予めアクセス要求を受け付けるため、基地局装置２００が送信割当を行なったＭＴＣデバイス１００のインターリーバのみを復調すればよい。
【０１４１】
また、シーケンスＳＱ１２のプリアンブルの受信時に、ＭＴＣデバイス１００と基地局装置２００との間の伝搬路の状態を測定し、当該測定結果をシーケンスＳＱ２２，ＳＱ２８で利用することも可能である。
【０１４２】
（ｆ２．フローチャート）
図１４は、基地局装置２００における処理の流れを表したフローチャートである。図１４を参照して、ステップＳ２において、基地局装置２００は、報知情報を送信する。ステップＳ４において、基地局装置２００は、ＭＴＣデバイス１００からアクセス要求信号を受信したか否かを判断する。
【０１４３】
基地局装置２００は、アクセス要求信号を受信したと判断した場合（ステップＳ４においてＹＥＳ）、図１３のシーケンスＳＱ１２で説明した装置判定を行なう。基地局装置２００は、アクセス要求信号を受信していないと判断した場合（ステップＳ４においてＮＯ）、再度、処理をステップＳ４に進める。
【０１４４】
ステップＳ８において、基地局装置２００は、リソース割り当て情報を含んだアクセス許可情報（制御情報）を、判定したＭＴＣデバイス１００に送信する。たとえば、基地局装置２００は、グループＡ用のリソース割り当て情報を含む制御情報Ｃ１を、グループＡのＭＴＣデバイス１００Ａ，１００Ｂに送信するとともに、グループＢ用のリソース割り当て情報を含む制御情報Ｃ２を、グループＢのＭＴＣデバイス１００Ｃ，１００Ｄに送信する。
【０１４５】
ステップＳ１０において、基地局装置２００は、ステップＳ６において判定したＭＴＣデバイス１００からデータ（映像データ、測定データ等）を受信する。
【０１４６】
図１５は、ＭＴＣデバイス１００における処理の流れを表したフローチャートである。図１５を参照して、ステップＳ１０２において、ＭＴＣデバイス１００は、基地局装置２００から報知情報を受信したか否かを判断する。ＭＴＣデバイス１００は、受信したと判断した場合（ステップＳ１０２においてＹＥＳ）、ステップＳ１０４において、基地局装置２００によって設定されたアクセス要求受付区間において、アクセス要求信号を送信する。ＭＴＣデバイス１００は、受信していないと判断した場合（ステップＳ１０２においてＮＯ）、再度、処理をステップＳ１０２に進める。
【０１４７】
ステップＳ１０６において、ＭＴＣデバイス１００は、リソース割り当て情報を含んだアクセス許可情報を基地局装置２００から受信したか否かを判断する。ＭＴＣデバイス１００は、受信したと判断した場合（ステップＳ１０６においてＹＥＳ）、ステップＳ１０８において、割り当てられた無線リソースを用いて、データ（映像データ，測定データ等）を基地局装置２００に送信する。ＭＴＣデバイス１００は、受信していないと判断された場合（ステップＳ１０６においてＮＯ）、再度、処理をステップＳ１０６に進める。
【０１４８】
［実施の形態２］
次に、本実施の形態に係る無線通信システム１Ａについて、図１６〜図２０に基づいて説明する。
【０１４９】
＜Ｇ．システム構成＞
図１６は、無線通信システム１Ａの概略構成を表した図である。図１６を参照して、無線通信システム１Ａは、複数のＭＴＣデバイス１００Ａ〜１００Ｄと、基地局装置２００と、ＭＭＥ３００と、サーバ装置４００と、中継装置（リレーノード）６００とを少なくとも備えている。無線通信システム１Ａは、中継装置６００を備える点において、中継装置６００を備えていない実施の形態１の無線通信システム１と異なる。
【０１５０】
中継装置６００は、基地局装置２００とＭＴＣデバイスとの間の通信を中継する機能を有する。図１６は、各ＭＴＣデバイス１００Ａ〜１００Ｄが、中継装置６００を介して、基地局装置２００と通信している状態を表している。中継装置６００としては、たとえば、上述した特許文献１に記載のリピータを用いることができる。
【０１５１】
＜Ｈ．制御構造（シーケンスチャート）＞
図１７は、無線通信システム１Ａにおける処理の流れを表したシーケンスチャートである。図１７を参照して、シーケンスＳＱ１０２において、各ＭＴＣデバイス１００（１００Ａ〜１００Ｄ）は、基地局装置２００から報知情報を受信する。これにより、各ＭＴＣデバイス１００は、自装置の属するグループのアクセス要求受付区間の情報を受信する。
【０１５２】
シーケンスＳＱ１０４において、グループＡのＭＴＣデバイス１００Ａは、自装置の上記ＩＤと対応したプリアンブルパターンを選択して、指定されたアクセス要求受付区間ＰＡにアクセス要求信号を送信する。シーケンスＳＱ１０６において、グループＡのＭＴＣデバイス１００Ｂは、自装置の上記ＩＤと対応したプリアンブルパターンを選択して、指定されたアクセス要求受付区間ＰＡにアクセス要求信号を送信する。
【０１５３】
シーケンスＳＱ１０８において、グループＢのＭＴＣデバイス１００Ｃは、自装置の上記ＩＤと対応したプリアンブルパターンを選択して、指定されたアクセス要求受付区間ＰＢにアクセス要求信号を送信する。シーケンスＳＱ１１０において、グループＢのＭＴＣデバイス１００Ｄは、自装置の上記ＩＤと対応したプリアンブルパターンを選択して、指定されたアクセス要求受付区間ＰＢにアクセス要求信号を送信する。
【０１５４】
シーケンスＳＱ１１２において、基地局装置２００は、マッチドフィルタ等を用いて、アクセス要求受付区間ＰＡおよびアクセス要求受付区間ＰＢで受信した信号の各々に、どのプリアンブルパターンが含まれるかを検出する。基地局装置２００は、検出されたプリアンブルパターンに対応するＭＴＣデバイス１００を判定して、送信割り当てを行うか否かを判断する。
【０１５５】
シーケンスＳＱ１１４において、基地局装置２００は、中継装置６００および送信割り当てを行うＭＴＣデバイス１００Ａ，１００Ｂに対して、リソース割当情報を含むアクセス許可信号を一括送信する。つまり、基地局装置２００は、グループＡ用のリソース割り当て情報を含む制御情報Ｃ１を、中継装置６００およびＭＴＣデバイス１００Ａ，１００Ｂに対して送信する。より詳しくは、シーケンスＳＱ１１４において、基地局装置２００は、中継装置６００および送信割り当てを行うＭＴＣデバイス１００Ａ，１００Ｂに対して、一括してリソース割当情報を含むアクセス許可信号を送信すると同時に、中継装置６００から基地局装置２００への送信に用いる無線リソースの割り当てを行う。なお、当該アクセス許可信号に含まれるリソース割当情報のフォーマットについては、後述する（図１８）。
【０１５６】
シーケンスＳＱ１１６において、基地局装置２００は、中継装置６００および送信割り当てを行うＭＴＣデバイス１００Ｃ，１００Ｄに対して、リソース割当情報を含むアクセス許可信号を一括送信する。つまり、基地局装置２００は、グループＢ用のリソース割り当て情報を含む制御情報Ｃ２を、中継装置６００およびＭＴＣデバイス１００Ｃ，１００Ｄに対して送信する。より詳しくは、シーケンスＳＱ１１６において、基地局装置２００は、中継装置６００および送信割り当てを行うＭＴＣデバイス１００Ｃ，１００Ｄに対して、一括してリソース割当情報を含むアクセス許可信号を送信すると同時に、中継装置６００から基地局装置２００への送信に用いる無線リソースの割り当てを行う。
【０１５７】
シーケンスＳＱ１１８において、ＭＴＣデバイス１００Ａは、割り当てられた無線リソースを用いて、基地局装置２００に対して映像データを送信するための処理を行なう。シーケンスＳＱ１２０において、ＭＴＣデバイス１００Ｂは、割り当てられた無線リソースを用いて、基地局装置２００に対して映像データを送信するための処理を行なう。これらの映像データは、当該映像データを基地局装置２００に送信するために、中継装置６００により中継される。なお、ＭＴＣデバイス１００Ａ、１００Ｂは、基地局装置２００宛てに映像データを送信しているのであって、特定の中継装置宛てに映像データを送信しているわけではない。
【０１５８】
シーケンスＳＱ１２２において、中継装置６００は、ＭＴＣデバイス１００Ａ，１００Ｂが基地局装置２００宛てに送信した信号を受信して、基地局装置２００に送信する。この際に使用される無線リソースについては、後述する（図１９）。なお、中継装置６００は、ＭＵＤの処理は行わない。
【０１５９】
シーケンスＳＱ１２４において、基地局装置２００は、対応したインターリーバでＭＴＣデバイス１００Ａ，１００Ｂの信号を分離して受信する。ＩＤＭＡ信号の受信手順については説明済みであるので、ここでは説明を繰り返さない。シーケンスＳＱ１２６において、ＭＴＣデバイス１００Ｃは、割り当てられた無線リソースを用いて、基地局装置２００に対して消費電力の測定データを送信するための処理を行なう。シーケンスＳＱ１２８において、ＭＴＣデバイス１００Ｄは、割り当てられた無線リソースを用いて、基地局装置２００に対して消費電力の測定データを送信するための処理を行なう。これらの測定データは、当該映像データを基地局装置２００に送信するために、中継装置６００により中継される。なお、ＭＴＣデバイス１００Ｃ、１００Ｄは、基地局装置２００宛てに測定データを送信しているのであって、特定の中継装置宛てに映像データを送信しているわけではない。
【０１６０】
シーケンスＳＱ１３０において、中継装置６００は、ＭＴＣデバイス１００Ｃ，１００Ｄが基地局装置２００宛てに送信した信号を受信して、基地局装置２００に送信する。なお、中継装置６００は、ＭＵＤの処理は行わない。シーケンスＳＱ１３２において、基地局装置２００は、対応したインターリーバでＭＴＣデバイス１００Ｃ，１００Ｄの信号を分離して受信する。
【０１６１】
本実施の形態の方法では、実施の形態１でも述べたように、予めアクセス要求を受け付けるため、基地局装置２００が送信割当を行なったＭＴＣデバイス１００のインターリーバのみを復調すればよい。また、シーケンスＳＱ１１２のプリアンブルの受信時に、ＭＴＣデバイス１００と基地局装置２００との間の伝搬路の状態を測定し、当該測定結果をシーケンスＳＱ１２４，ＳＱ１３２で利用することも可能である。
【０１６２】
＜Ｉ．データ＞
図１８は、本実施の形態で用いられる、アクセス許可信号（制御情報）に含まれるリソース割当情報のフォーマットを表した図である。図１８を参照して、リソース割当情報のフォーマット１８を用いることにより、実施の形態１のリソース割当情報のフォーマット６（図６）と同様、１つのリソース割当情報によって、複数のデバイスの割り当てを通知することができる。また、フォーマット１８は、図６に示したフォーマット６の各要素に、ＲＮリソース情報とＲＮ信号フォーマットとが追加されている。
【０１６３】
図１９は、割り当てられたリソースの一例を説明するための図である。詳しくは、図１９は、グループに割り当てる無線リソースに加えて、ＲＮに割り当てる無線リソースを示している。
【０１６４】
図１９を参照して、たとえば、グループＡのＭＴＣデバイス１００Ａ、１００Ｂは、割り当てられた区間ＱＤで、映像データを基地局装置２００に送信する。区間ＱＤは、１つのフレームにおける予め定められた上りリンクサブフレームにおける、周波数方向に連続した１２個のリソースブロックで構成される。具体的には、区間ＱＤは、リソースブロックＥ４０１とリソースブロックＥ４１２とで規定される区間である。
【０１６５】
一方、区間ＱＥは、シーケンスＳＱ１２２において中継装置６００が利用する無線リソースを表している。区間ＱＥは、１つのフレームにおける予め定められた上りリンクサブフレームにおける、周波数方向に連続した１２個のリソースブロックで構成される。具体的には、区間ＱＥは、リソースブロックＥ５０１とリソースブロックＥ５１２とで規定される区間である。
【０１６６】
この場合、中継装置６００は、ＭＵＤの処理は行わない。中継装置６００は、区間ＱＤで受信した信号を、そのまま区間ＱＥにシフトして送信する。あるいは、ＭＴＣデバイス１００から受信した信号に対して信号形式の変換を行ない、区間ＱＥを用いて送信するように、中継装置６００を構成することも可能である。
【０１６７】
ところで、シーケンスＳＱ１２４，１３２においては、基地局装置２００は、中継装置６００から受信した信号に対して、対応したインターリーバでＭＴＣデバイス１００の信号を分離して受信した。しかしながら、図１９に基づいて説明したようにリソース割り当ての区間をシフトするのみで、信号形式の変換を行わない場合は、基地局装置２００は、実施の形態１の場合と同様の処理で受信することができる。
【０１６８】
＜Ｊ．変形例＞
図２０は、無線通信システム１Ａの変形例を説明するための図である。図２０を参照して、無線通信システム１Ａ’は、複数のＭＴＣデバイス１００Ａ〜１００Ｄと、基地局装置２００と、ＭＭＥ３００と、サーバ装置４００と、中継装置６００と、中継装置６００Ａとを少なくとも備えている。無線通信システム１Ａ’は、複数の中継装置６００，６００Ａを備える点において、１つの中継装置６００しか備えていない無線通信システム１Ａと異なる。
【０１６９】
無線通信システム１Ａ’の場合には、複数の中継装置６００，６００ＡがＭＴＣデバイス１００の信号を中継するが、同じ無線リソースを用いるようになる。このため、基地局装置２００では、複数の中継装置６００，６００Ａからの信号が合成されて受信される。この場合には、基地局装置２００では、ＭＴＣデバイス１００から基地局装置２００へのパス数が増加したように見える。
【０１７０】
［実施の形態３］
次に、本実施の形態に係る無線通信システムについて、図２４〜図２９に基づいて説明する。なお、説明の便宜上、本実施の形態に係る無線通信システムを「無線通信システム１Ｂ」と称する。無線通信システム１Ｂに関しては、実施の形態１における無線通信システム１Ａに関して説明した内容とは異なる点を主として説明し、重複する部分については説明を繰り返さない。具体的には、図１〜３，６〜１２，１４，１５に基づいて説明した内容については、説明を繰り返さない。
【０１７１】
＜Ｋ．データテーブル＞
図２４は、主として、ＭＴＣデバイス１００のグループ分けを説明するための図である。図２４は、図４のデータテーブル４をより詳細としたデータテーブルを表した図である。図２４を参照して、データテーブル４Ａでは、データテーブル４と同様、サービス分野、アプリケーション、およびサービス業者にて、グループを表すグループＩＤが対応付けられている。データテーブル４Ａは、基地局装置２００またはＭＭＥ３００に格納されている。なお、図２４に示すＭＴＣデバイス１００のグループ分けの情報は、ＭＴＣデバイス１００のサービス会社により、データテーブル４Ａに事前に記録される。
【０１７２】
データテーブル４Ａは、グループＩＤに対して、各グループに含まれる各ＭＴＣデバイスの個別ＩＤと、当該各ＭＴＣデバイスのＩＭＥＩ（International Mobile Equipment Identity：国際移動体装置識別番号）情報とが対応づけて記憶されている。たとえば、監視カメラであるＭＴＣデバイス１００Ａの個別ＩＤは「００００１」であり、ＩＭＥＩは「００００１」である。また、監視カメラであるＭＴＣデバイス１００Ｂの個別ＩＤは「００００２」であり、ＩＭＥＩは「００００２」である。さらに、電力メータであるＭＴＣデバイス１００Ｃの個別ＩＤは「０８００１」であり、ＩＭＥＩは「０８００１」である。また、電力メータであるＭＴＣデバイス１００Ｄの個別ＩＤは「０８００２」であり、ＩＭＥＩは「０８００２」である。
【０１７３】
なお、以下では、実施の形態１と同様、説明の便宜上、基地局装置２００およびＭＭＥ３００のうちの基地局装置２００が、複数のグループの各々に対してアクセス要求受付区間を設定する構成を例に挙げて説明する。
【０１７４】
＜Ｌ．報知情報の送受信＞
基地局装置２００はＭＴＣデバイス１００が位置登録する際に、個別ＩＤとグループＩＤとをＭＴＣデバイス１００に割り当てる。基地局装置２００は、アクセス要求受付区間として、アクセス要求を開始する開始時間（以下、アクセス要求開始時間）と、アクセス要求を終了する終了時間（以下、アクセス要求終了時間）と、アクセス要求を受け付ける周期（以下、アクセス要求受付周期）とを設定する。基地局装置２００は、アクセス要求開始時間とアクセス要求終了時間とアクセス要求受付周期とを関連付けて報知情報としてＭＴＣデバイス１００に送信する。
【０１７５】
具体的には、基地局装置２００は、アクセス要求受付区間の情報をSystem Information Block Type 3（ＳＩＢ３）によってＭＴＣデバイス１００に送信する。また、ＭＴＣデバイス１００のみにアクセス要求受付区間の情報を受信させるために、基地局装置２００は、アクセス要求受付区間情報の送信スケジュールを、System Information Block Type 1（ＳＩＢ１）に含んで送信する。なお、基地局装置２００は、アクセス要求受付区間の情報をＳＩＢ３以外で送信してもよい。
【０１７６】
図２５は、ＭＴＣデバイス１００における報知情報の受信手順を表したフローチャートである。図２５を参照して、ステップＳ２０２において、ＭＴＣデバイス１００は、Master Information Block（ＭＩＢ）を受信する。ステップＳ２０４において、ＭＴＣデバイス１００は、ＳＩＢ１を受信する。ステップＳ２０６において、ＳＩＢ１を受信したデバイスは、自身がＭＴＣデバイス１００であるか否かを判断する。ＳＩＢ１を受信したデバイスがＭＴＣデバイス１００である場合（ステップＳ２０６においてＹＥＳ）、ＳＩＢ１の情報に従い、ＳＩＢ３の受信を行う。なお、ＳＩＢ１を受信したデバイスは、自身がＭＴＣデバイス１００でない場合（ステップＳ２０６においてＮＯ）、ＳＩＢ３の受信は行わない。この方法により、ＭＴＣデバイス１００のみがアクセス要求受付区間の情報を受信することが可能になる。
【０１７７】
＜Ｍ．アクセス要求受付区間＞
図２６は、本実施の形態に係るアクセス要求受付区間の一例を説明するための図である。具体的には、図２６は、グループＡに割り当てられたアクセス要求受付区間ＰＪ１，ＰＪ２，ＰＪ３と、グループＢに割り当てられたアクセス要求受付区間ＰＫ１，ＰＫ２とを表した図である。
【０１７８】
図２６を参照して、グループＡのＭＴＣデバイス１００Ａ，１００Ｂは割り当てられたアクセス要求受付区間ＰＪ１，ＰＪ２，ＰＪ３で、アクセス要求を基地局装置２００に送信する。アクセス要求受付区間ＰＪ１は、１つのフレームにおける予め定められたサブフレーム（上りリンクサブフレーム）における、周波数方向に連続した６つのリソースブロックと時間方向に連続した３つのリソースブロックとにより規定される合計１８（＝６×３）個のリソースブロックで構成される。時間ｔ１は、グループＡのアクセス要求開始時間を表している。時間ｔ２は、グループＡのアクセス要求終了時間を表している。また、周期Ｔは、グループＡのアクセス要求受付周期を表している。
【０１７９】
ＭＴＣデバイス１００Ａ，１００Ｂは、グループＡに対応する、フレームの番号、上りリンクサブフレームの番号、および周波数オフセットに基づき、アクセス要求受付区間ＰＪ１，ＰＪ２，ＰＪ３，…を判断する。ＭＴＣデバイス１００Ｃ，１００Ｄは、グループＢに対応する、フレームの番号、上りリンクサブフレームの番号、および周波数オフセットに基づき、アクセス要求受付区間ＰＫ１，ＰＫ２，…を判断する。なお、フレームの番号は、約１０秒間隔で繰り返されるため、区間同士の間隔を長くするためには、別のパラメータが必要となる。また、ＭＴＣデバイス１００Ａ，１００Ｂ、１００Ｃ，１００Ｄは、ｒｏｏｔ  ｓｅｑｕｅｎｃｅ  ｉｎｄｅｘで与えられるパラメータを使って系列を生成し、デバイスＩＤに対応したシフト処理を行なう。
【０１８０】
＜Ｎ．制御構造＞
図２７は、無線通信システム１Ｂにおける処理の流れの一部を表したシーケンスチャートである。図２７を参照して、各ＭＴＣデバイス１００は、基地局装置２００に対し位置登録要求を行う（シーケンスＳＱ２０２，ＳＱ２１０，ＳＱ２１８，ＳＱ２２６）。基地局装置２００は、ＭＴＣデバイス１００からの位置登録要求を受信すると、各ＭＴＣデバイス１００のＩＭＥＩをＭＭＥ３００に送信する（シーケンスＳＱ２０４，ＳＱ２１２，ＳＱ２２０，ＳＱ２２８）。基地局装置２００は、各ＭＴＣデバイス１００の個別ＩＤとグループＩＤとをＭＭＥ３００（あるいは、ＭＭＥ３００に接続されたサーバ装置）から取得する（シーケンスＳＱ２０６，ＳＱ２１４，ＳＱ２２２，ＳＱ２３０）。基地局装置２００は、個別のＩＤ（たとえばＴＭＳＩ）とグループＩＤとを各ＭＴＣデバイス１００に割り当てる（シーケンスＳＱ２０８，ＳＱ２１６，ＳＱ２２４，ＳＱ２３２）。
【０１８１】
なお、位置登録の際の通信は、上記のアクセス要求受付区間に縛られない。あるいは、実施の形態１で説明したように、位置登録を行わずに、個別のデバイスＩＤとして、ＲＯＭ、ＵＳＩＭ等に予め設定されたＩＤ（たとえば、ＩＭＥＩまたはＩＭＳＩ）を用いることも可能である。
【０１８２】
次に、シーケンスＳＱ２Ａについて説明する。当該シーケンスＳＱ２Ａは、実施の形態１の図１３におけるシーケンスＳＱ２に対応する。シーケンスＳＱ２では、
基地局装置２００は各ＭＴＣデバイス１００に、アクセス要求受付区間情報として、アクセス要求開始時間と、アクセス要求終了時間と、アクセス要求受付周期とを、報知情報として送信する。詳しくは、基地局装置２００は、グループＩＤと、アクセス要求開始時間と、アクセス要求終了時間と、アクセス要求受付周期とを関連付けた報知情報を、各ＭＴＣデバイス１００に送信する。報知情報は、たとえば、グループＡのグループＩＤに関連付けられた、アクセス要求開始時間、アクセス要求終了時間、およびアクセス要求受付周期と、グループＢのグループＩＤに関連付けられた、アクセス要求開始時間、アクセス要求終了時間、およびアクセス要求受付周期とを含む。
【０１８３】
各ＭＴＣデバイス１００は、上記報知情報を受信すると、当該報知情報に含まれる複数のグループＩＤのうち、自身が事前に取得することにより記憶していたグループＩＤと同じグループＩＤに関連付けられている、アクセス要求開始時間、アクセス要求終了時間、およびアクセス要求受付周期を利用して、基地局装置２００に対してアクセス要求を行なう。たとえば、グループＡのＭＴＣデバイス１００は、グループＡのグループＩＤに関連付けられた、アクセス要求開始時間、アクセス要求終了時間、およびアクセス要求受付周期にしたがって、基地局装置２００に対してアクセス要求を行なう。
【０１８４】
より具体的に説明すると以下のとおりである。図２８は、アクセス要求受付区間に関する情報の送信周期およびアクセス要求受付区間に関する情報の配置を説明するための図である。図２８を参照して、基地局装置２００は、アクセス要求受付区間を指定（規定）するための情報（アクセス要求受付区間に関する情報）をSystem Information Block 3（ＳＩＢ３）で送信する。この際、ＭＴＣデバイス１００のサービス種別によるグループ数が大きくなると報知情報が膨大になり、ＭＴＣデバイス以外のデバイスに悪影響を与え兼ねない。その対策として、基地局装置２００は、図２８のようにＳＩＢ３の１周期で全グループのアクセス要求受付区間を指定するための情報を送信するのではなく、複数のＳＩＢ３の周期に分割して送信するようにする。図２８の例では、ＳＩＢ３の１周期に１００グループ分の「アクセス要求受付区間」を指定するための情報が含まれている。また、基地局装置２００は、自分のグループのアクセス要求受付区間を指定するための情報をＭＴＣデバイス１００に受信させるために、グループごとのアクセス要求受付区間を指定するための情報の送信スケジュールをＳＩＢ１に含ませて各ＭＴＣデバイス１００に報知する。
【０１８５】
なお、ＭＴＣデバイスによる報知情報の受信手順については、図２５に基づいて説明したので、ここでは繰り返し説明しない。また、実施の形態１において説明したように、報知情報は、ＰＲＡＣＨのリースブロック割り当てと、信号フォーマットと、使用可能なプリアンブル系列（Preamble  sequence）とを、セットで含んでいる。
【０１８６】
シーケンスＳＱ２Ａの後は、無線通信システム１Ｂでは、図１３におけるシーケンスＳＱ４〜ＳＱ２８の処理が、図１３に示したとおりに実行される。このため、ここでは、シーケンスＳＱ４〜ＳＱ２８の処理については、繰り返して説明を行なわない。
【０１８７】
＜Ｏ．変形例＞
（１）上記においては、図２５のデータテーブル４Ａのように、ＭＴＣデバイス１００のグループ分け情報がＭＴＣデバイス１００のサービス会社によって事前に記録されており、当該情報を元にＭＴＣデバイス１００のグループ分けがなされていた。しかしながら、これに限定されるものではない。たとえば、ＭＴＣデバイス１００の通信状況（通信頻度および／または平均データブロックサイズ）をＭＭＥ３００または他のサーバ装置（たとえば、サーバ装置４００）に記録し、当該情報を元にグループ分けを行なってもよい。
【０１８８】
図２９は、グループ分けを行なうために利用されるデータテーブルの例を表した図である。より詳しくは、図２９は、通信頻度と平均データブロックサイズとを用いてグループ分けを行なうためのデータテーブルを表した図である。
【０１８９】
図２９を参照して、基地局装置２００は、ＭＴＣデバイスの通信状況によりグループ分けを実施する。具体的には、基地局装置２００は、通信頻度と平均データブロックサイズの値とに基づき、グループ分けを行なう。なお、データテーブル４Ａと同様、データテーブル４Ｂでは、複数のグループの各々に対して、グループＩＤと、個別ＩＤと、ＩＭＥＩとが対応付けられている。
【０１９０】
したがって、このような処理を基地局装置２００が行なうことにより、サービス内容にとらわれずに、ＭＴＣデバイス１００のネットワークへの接続を効率化することが可能になる。
【０１９１】
（２）本実施の形態に係る無線通信システム１Ｂを、実施の形態２（図１６〜２０）のように、中継装置６００を備えた構成としてもよい。
【０１９２】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【０１９３】
１，１Ａ，１Ａ’  無線通信システム、４  データテーブル、１００，１００Ａ，１００Ｂ，１００Ｃ，１００Ｄ  ＭＴＣデバイス、１０１，２０２  送信部、１０２，２０３  受信部、１１０  ＣＰＵ、１１１  メモリ、１１２  通信処理回路、１１３  無線ＩＦ、１１４  センサ、１１５  変換器、１１６  タイマ、１１７  電源制御回路、１１８  電源、２００  基地局装置、２０１  割当部、２１０  アンテナ、２３０  無線処理部、２５０  ベースバンド部、２５１  ベースバンド回路、２５２  制御装置、２５３  タイミング制御部、２５４  通信インターフェイス、２５５  電源装置、３００  ＭＭＥ、４００  サーバ装置、６００，６００Ａ  中継装置、９００  セル、２３０１  デュプレクサ、２３０３  パワーアンプ、２３０５  ローノイズアンプ、２３０７  送信回路、２３０９  受信回路、２３１１  直交変復調部、２５２２  ＲＯＭ、２５２３  ＲＡＭ、２５２４  不揮発性メモリ、Ｅ１，Ｅ６，Ｅ１０１，Ｅ１１２，Ｅ２０１，Ｅ２１０，Ｅ３０１，Ｅ３１１，Ｅ４０１，Ｅ４１２，Ｅ５０１，Ｅ５１２  リソースブロック、ＰＡ，ＰＢ  アクセス要求受付区間、ＱＡ，ＱＢ，ＱＣ，ＱＤ，ＱＥ  区間。
【図１】
2014099836.tif 000003
【図２】
2014099836.tif 000004
【図３】
2014099836.tif 000005
【図４】
2014099836.tif 000006
【図５】
2014099836.tif 000007
【図６】
2014099836.tif 000008
【図７】
2014099836.tif 000009
【図８】
2014099836.tif 000010
【図９】
2014099836.tif 000011
【図１０】
2014099836.tif 000012
【図１１】
2014099836.tif 000013
【図１２】
2014099836.tif 000014
【図１３】
2014099836.tif 000015
【図１４】
2014099836.tif 000016
【図１５】
2014099836.tif 000017
【図１６】
2014099836.tif 000018
【図１７】
2014099836.tif 000019
【図１８】
2014099836.tif 000020
【図１９】
2014099836.tif 000021
【図２０】
2014099836.tif 000022
【図２１】
2014099836.tif 000023
【図２２】
2014099836.tif 000024
【図２３】
2014099836.tif 000025
【図２４】
2014099836.tif 000026
【図２５】
2014099836.tif 000027
【図２６】
2014099836.tif 000028
【図２７】
2014099836.tif 000029
【図２８】
2014099836.tif 000030
【図２９】
2014099836.tif 000031